(57)【要約】      （修正有）【課題】チャネル品質インジケータ（ＣＱＩ）を推定および報告する。【解決手段】隣接する基地局は、別の基地局に対する強い干渉を起こすことがあり、また、異なるサブフレームのような、異なるリソースを割り振られることがある。ＵＥは、基地局に割り振られており、干渉基地局からの低減された干渉または無干渉を有する少なくとも１つの第１のサブフレームに基づいて、第１のＣＱＩを決定する。別の態様では、ＵＥは、異なるタイプの、異なる干渉レベルに関係付けられているリソースに対する複数のＣＱＩを決定する。【選択図】図６
2014212543.tif 000002
【特許請求の範囲】
【請求項１】
ワイヤレス通信のための方法において、
基地局に割り振られており、少なくとも１つの干渉する基地局からの低減された干渉または無干渉を有する少なくとも１つのリソースを決定することと、
前記少なくとも１つのリソースに基づいて、チャネル品質インジケータ（ＣＱＩ）を決定することとを含む方法。
【請求項２】
前記基地局に割り振られている少なくとも１つのリソースを決定することは、
前記基地局に割り振られているリソースを伝えるシグナリングを受信することと、
前記受信したシグナリングに基づいて、前記少なくとも１つのリソースを決定することとを含む請求項１記載の方法。
【請求項３】
前記ＣＱＩを前記基地局に送ることと、
前記ＣＱＩに基づいて前記基地局により送られたデータの送信を受信することとをさらに含む請求項１記載の方法。
【請求項４】
前記ＣＱＩは、前記少なくとも１つの干渉基地局に割り振られているリソースを除くことにより、決定される請求項１記載の方法。
【請求項５】
前記少なくとも１つのリソースは、前記基地局に割り振られている少なくとも１つのサブフレームに対応している請求項１記載の方法。
【請求項６】
前記少なくとも１つのリソースは、前記基地局および前記少なくとも１つの干渉基地局に対するリソースパーティショニングを介して、前記基地局に半静的に割り振られる請求項１記載の方法。
【請求項７】
ワイヤレス通信のための装置において、
基地局に割り振られており、少なくとも１つの干渉する基地局からの低減された干渉または無干渉を有する少なくとも１つのリソースを決定する手段と、
前記少なくとも１つのリソースに基づいて、チャネル品質インジケータ（ＣＱＩ）を決定する手段とを具備する装置。
【請求項８】
前記基地局に割り振られている少なくとも１つのリソースを決定する手段は、
前記基地局に割り振られているリソースを伝えるシグナリングを受信する手段と、
前記受信したシグナリングに基づいて、前記少なくとも１つのリソースを決定する手段とを備える請求項７記載の装置。
【請求項９】
前記少なくとも１つのリソースは、前記基地局および前記少なくとも１つの干渉基地局に対するリソースパーティショニングを介して、前記基地局に半静的に割り振られる請求項７記載の装置。
【請求項１０】
ワイヤレス通信のための装置において、
基地局に割り振られており、少なくとも１つの干渉する基地局からの低減された干渉または無干渉を有する少なくとも１つのリソースを決定し、前記少なくとも１つのリソースに基づいて、チャネル品質インジケータ（ＣＱＩ）を決定するように構成されている少なくとも１つのプロセッサを具備する装置。
【請求項１１】
前記少なくとも１つのプロセッサは、前記基地局に割り振られているリソースを伝えるシグナリングを受信し、前記受信したシグナリングに基づいて、前記少なくとも１つのリソースを決定するように構成されている請求項１０記載の装置。
【請求項１２】
前記少なくとも１つのリソースは、前記基地局および前記少なくとも１つの干渉基地局に対するリソースパーティショニングを介して、前記基地局に半静的に割り振られる請求項１０記載の装置。
【請求項１３】
コンピュータプログラムプロダクトにおいて、
コンピュータ読取可能媒体を含み、
前記コンピュータ読取可能媒体は、
基地局に割り振られており、少なくとも１つの干渉する基地局からの低減された干渉または無干渉を有する少なくとも１つのリソースを少なくとも１つのプロセッサに決定させるためのコードと、
前記少なくとも１つのリソースに基づいて、チャネル品質インジケータ（ＣＱＩ）を前記少なくとも１つのプロセッサに決定させるためのコードとを含むコンピュータプログラムプロダクト。
【請求項１４】
ワイヤレス通信のための方法において、
基地局に割り振られており、少なくとも１つの干渉する基地局からの低減された干渉または無干渉を有する少なくとも１つのリソースに基づいてユーザ機器（ＵＥ）により決定されたチャネル品質インジケータ（ＣＱＩ）を受信することと、
前記ＣＱＩに基づいて、前記ＵＥにデータの送信を送ることとを含む方法。
【請求項１５】
前記基地局に割り振られているリソースを伝えるシグナリングを送ることをさらに含む請求項１４記載の方法。
【請求項１６】
前記少なくとも１つのリソースは、少なくとも１つのサブフレームに対応している請求項１４記載の方法。
【請求項１７】
前記少なくとも１つのリソースは、前記基地局および前記少なくとも１つの干渉基地局に対するリソースパーティショニングを介して、前記基地局に半静的に割り振られる請求項１４記載の方法。
【請求項１８】
ワイヤレス通信のための装置において、
基地局に割り振られており、少なくとも１つの干渉する基地局からの低減された干渉または無干渉を有する少なくとも１つのリソースに基づいてユーザ機器（ＵＥ）により決定されたチャネル品質インジケータ（ＣＱＩ）を受信する手段と、
前記ＣＱＩに基づいて、前記ＵＥにデータの送信を送る手段とを具備する装置。
【請求項１９】
前記基地局に割り振られているリソースを伝えるシグナリングを送る手段をさらに具備する請求項１８記載の装置。
【請求項２０】
前記少なくとも１つのリソースは、前記基地局および前記少なくとも１つの干渉基地局に対するリソースパーティショニングを介して、前記基地局に半静的に割り振られる請求項１８記載の装置。
【請求項２１】
ワイヤレス通信のための装置において、
基地局に割り振られており、少なくとも１つの干渉する基地局からの低減された干渉または無干渉を有する少なくとも１つのリソースに基づいてユーザ機器（ＵＥ）により決定されたチャネル品質インジケータ（ＣＱＩ）を受信し、前記ＣＱＩに基づいて、前記ＵＥにデータの送信を送るように構成されている少なくとも１つのプロセッサを具備する装置。
【請求項２２】
前記少なくとも１つのプロセッサは、前記基地局に割り振られているリソースを伝えるシグナリングを送るように構成されている請求項２１記載の装置。
【請求項２３】
前記少なくとも１つのリソースは、前記基地局および前記少なくとも１つの干渉基地局に対するリソースパーティショニングを介して、前記基地局に半静的に割り振られる請求項２１記載の装置。
【請求項２４】
コンピュータプログラムプロダクトにおいて、
コンピュータ読取可能媒体を含み、
前記コンピュータ読取可能媒体は、
基地局に割り振られており、少なくとも１つの干渉する基地局からの低減された干渉または無干渉を有する少なくとも１つのリソースに基づいてユーザ機器（ＵＥ）により決定されたチャネル品質インジケータ（ＣＱＩ）を少なくとも１つのプロセッサに受信させるためのコードと、
前記ＣＱＩに基づいて、前記ＵＥにデータの送信を前記少なくとも１つのプロセッサに送らせるためのコードとを含むコンピュータプログラムプロダクト。
【請求項２５】
ワイヤレス通信のための方法において、
基地局に割り振られており、少なくとも１つの干渉する基地局からの低減された干渉または無干渉を有する少なくとも１つの第１のサブフレームに基づいて、第１のチャネル品質インジケータ（ＣＱＩ）を決定することと、
前記少なくとも１つの干渉基地局に割り振られている少なくとも１つの第２のサブフレームに基づいて、第２のＣＱＩを決定することとを含む方法。
【請求項２６】
前記第１のＣＱＩおよび前記第２のＣＱＩを前記基地局に送ることと、
前記第１のＣＱＩ、または、前記第２のＣＱＩ、あるいは、双方に基づいて前記基地局により送られたデータの送信を受信することとをさらに含む請求項２５記載の方法。
【請求項２７】
前記基地局からリソースパーティショニング情報を受信することと、
前記リソースパーティショニング情報に基づいて、前記基地局に割り振られている少なくとも１つの第１のサブフレームと、前記少なくとも１つの干渉基地局に割り振られている少なくとも１つの第２のサブフレームとを決定することとをさらに含む請求項２５記載の方法。
【請求項２８】
前記第２のＣＱＩを決定することは、前記少なくとも１つの干渉基地局に割り振られている少なくとも１つの第２のサブフレームのみに基づいて、前記第２のＣＱＩを決定することを含む請求項２５記載の方法。
【請求項２９】
前記第２のＣＱＩを決定することは、前記少なくとも１つの第２のサブフレームを含むサブフレームのセットにわたって平均をとることにより、前記第２のＣＱＩを決定することを含む請求項２５記載の方法。
【請求項３０】
前記サブフレームのセットは、前記基地局に半静的に割り振られているサブフレームを除く請求項２９記載の方法。
【請求項３１】
前記サブフレームのセットは、前記基地局に半静的に割り振られているサブフレームと、前記少なくとも１つの干渉基地局に半静的に割り振られているサブフレームとを除く請求項２９記載の方法。
【請求項３２】
前記サブフレームのセット中のサブフレームの数は、固定値であり、または、前記基地局により構成されて前記ＵＥにシグナリングされ、または、前記基地局および前記少なくとも１つの干渉基地局に対するリソースパーティショニングに基づいて決定される請求項２９記載の方法。
【請求項３３】
前記サブフレームのセットを伝える上位レイヤシグナリングを受信することをさらに含む請求項２９記載の方法。
【請求項３４】
前記第２のＣＱＩを決定することは、
前記基地局に割り振られている前記少なくとも１つの第１のサブフレーム中の干渉を推定することと、
前記少なくとも１つの干渉基地局に割り振られている前記少なくとも１つの第２のサブフレーム中の干渉を推定することと、
前記少なくとも１つの第１のサブフレーム中の推定した干渉と、前記少なくとも１つの第２のサブフレーム中の推定した干渉とに基づいて、総干渉を推定することと、
前記推定した総干渉に基づいて、前記第２のＣＱＩを決定することとを含む請求項２５記載の方法。
【請求項３５】
前記第２のＣＱＩが報告されるサブフレームに関するオフセットに基づいて、前記少なくとも１つの第２のサブフレームを決定することをさらに含む請求項２５記載の方法。
【請求項３６】
前記オフセットを伝えるシグナリングを前記基地局から受信することをさらに含む請求項３５記載の方法。
【請求項３７】
オフセットのセットを循環させて、異なる期間中で、前記第２のＣＱＩを決定するための異なるサブフレームを選択することにより、前記オフセットを決定することをさらに含む請求項３５記載の方法。
【請求項３８】
前記オフセットのセット、または、前記オフセットの数、あるいは、双方を伝えるシグナリングを前記基地局から受信することをさらに含む請求項３７記載の方法。
【請求項３９】
少なくとも１つの追加のサブフレームに基づいて、少なくとも１つの追加のＣＱＩを決定することをさらに含む請求項２５記載の方法。
【請求項４０】
第１の周期性において、前記第１のＣＱＩを報告することと、
前記第１の周期性とは異なる第２の周期性で、前記第２のＣＱＩを報告することとをさらに含む請求項２５記載の方法。
【請求項４１】
第１のＣＱＩ構成に基づいて、前記第１のＣＱＩを報告することと、
前記第１のＣＱＩ構成とは異なる第２のＣＱＩ構成に基づいて、前記第２のＣＱＩを報告することとをさらに含む請求項２５記載の方法。
【請求項４２】
ワイヤレス通信のための装置において、
基地局に割り振られており、少なくとも１つの干渉する基地局からの低減された干渉または無干渉を有する少なくとも１つの第１のサブフレームに基づいて、第１のチャネル品質インジケータ（ＣＱＩ）を決定する手段と、
前記少なくとも１つの干渉基地局に割り振られている少なくとも１つの第２のサブフレームに基づいて、第２のＣＱＩを決定する手段とを具備する装置。
【請求項４３】
前記基地局からリソースパーティショニング情報を受信する手段と、
前記リソースパーティショニング情報に基づいて、前記基地局に割り振られている少なくとも１つの第１のサブフレームと、前記少なくとも１つの干渉基地局に割り振られている少なくとも１つの第２のサブフレームとを決定する手段とをさらに具備する請求項４２記載の装置。
【請求項４４】
前記第２のＣＱＩを決定する手段は、前記少なくとも１つの第２のサブフレームを含むサブフレームのセットにわたって平均をとることにより、前記第２のＣＱＩを決定する手段を備える請求項４２記載の装置。
【請求項４５】
前記第２のＣＱＩが報告されるサブフレームに関するオフセットに基づいて、前記少なくとも１つの第２のサブフレームを決定する手段をさらに具備する請求項４２記載の装置。
【請求項４６】
第１のＣＱＩ構成に基づいて、前記第１のＣＱＩを報告する手段と、
前記第１のＣＱＩ構成とは異なる第２のＣＱＩ構成に基づいて、前記第２のＣＱＩを報告する手段とをさらに具備する請求項４２記載の装置。
【請求項４７】
ワイヤレス通信のための装置において、
基地局に割り振られており、少なくとも１つの干渉する基地局からの低減された干渉または無干渉を有する少なくとも１つの第１のサブフレームに基づいて、第１のチャネル品質インジケータ（ＣＱＩ）を決定し、前記少なくとも１つの干渉基地局に割り振られている少なくとも１つの第２のサブフレームに基づいて、第２のＣＱＩを決定するように構成されている少なくとも１つのプロセッサを具備する装置。
【請求項４８】
前記少なくとも１つのプロセッサは、前記基地局からリソースパーティショニング情報を受信し、前記リソースパーティショニング情報に基づいて、前記基地局に割り振られている少なくとも１つの第１のサブフレームと、前記少なくとも１つの干渉基地局に割り振られている少なくとも１つの第２のサブフレームとを決定するように構成されている請求項４７記載の装置。
【請求項４９】
前記少なくとも１つのプロセッサは、前記少なくとも１つの第２のサブフレームを含むサブフレームのセットにわたって平均をとることにより、前記第２のＣＱＩを決定するように構成されている請求項４７記載の装置。
【請求項５０】
前記少なくとも１つのプロセッサは、前記第２のＣＱＩが報告されるサブフレームに関するオフセットに基づいて、前記少なくとも１つの第２のサブフレームを決定するように構成されている請求項４７記載の装置。
【請求項５１】
前記少なくとも１つのプロセッサは、第１のＣＱＩ構成に基づいて、前記第１のＣＱＩを報告し、前記第１のＣＱＩ構成とは異なる第２のＣＱＩ構成に基づいて、前記第２のＣＱＩを報告するように構成されている請求項４７記載の装置。
【請求項５２】
コンピュータプログラムプロダクトおいて、
コンピュータ読取可能媒体を含み、
前記コンピュータ読取可能媒体は、
基地局に割り振られており、少なくとも１つの干渉する基地局からの低減された干渉または無干渉を有する少なくとも１つの第１のサブフレームに基づいて、第１のチャネル品質インジケータ（ＣＱＩ）を少なくとも１つのプロセッサに決定させるためのコードと、
前記少なくとも１つの干渉基地局に割り振られている少なくとも１つの第２のサブフレームに基づいて、第２のＣＱＩを前記少なくとも１つのプロセッサに決定させるためのコードとを含むコンピュータプログラムプロダクト。
【請求項５３】
ワイヤレス通信のための方法において、
第１のチャネル品質インジケータ（ＣＱＩ）および第２のＣＱＩをユーザ機器（ＵＥ）から受信し、前記第１のＣＱＩは、基地局に割り振られており、少なくとも１つの干渉する基地局からの低減された干渉または無干渉を有する少なくとも１つの第１のサブフレームに基づいて決定され、前記第２のＣＱＩは、前記少なくとも１つの干渉基地局に割り振られている少なくとも１つの第２のサブフレームに基づいて決定されることと、
前記第１のＣＱＩ、または、前記第２のＣＱＩ、あるいは、双方に基づいて、データの送信を前記ＵＥに送ることとを含む方法。
【請求項５４】
前記基地局に割り振られているサブフレームと、前記少なくとも１つの干渉基地局に割り振られているサブフレームとを伝えるリソースパーティショニング情報を送ることをさらに含む請求項５３記載の方法。
【請求項５５】
前記第２のＣＱＩは、前記少なくとも１つの干渉基地局に割り振られている前記少なくとも１つの第２のサブフレームにのみ基づいて、前記ＵＥにより決定される請求項５３記載の方法。
【請求項５６】
前記第２のＣＱＩは、前記少なくとも１つの第２のサブフレームを含むサブフレームのセットにわたって平均をとることにより、前記ＵＥにより決定され、前記サブフレームのセットは、前記基地局に半静的に割り振られているサブフレーム、または、前記少なくとも１つの干渉基地局に半静的に割り振られているサブフレーム、あるいは、双方を除く請求項５３記載の方法。
【請求項５７】
前記第２のＣＱＩは、前記基地局に割り振られている前記少なくとも１つの第１のサブフレーム中の干渉を推定することと、前記少なくとも１つの干渉基地局に割り振られている前記少なくとも１つの第２のサブフレーム中の干渉を推定することとにより、前記ＵＥにより決定される請求項５３記載の方法。
【請求項５８】
前記少なくとも１つの第２のサブフレームは、前記第２のＣＱＩが報告されるサブフレームに関するオフセットに基づいて決定される請求項５３記載の方法。
【請求項５９】
前記オフセットを伝えるシグナリングを送ることをさらに含む請求項５８記載の方法。
【請求項６０】
ワイヤレス通信のための装置において、
第１のチャネル品質インジケータ（ＣＱＩ）および第２のＣＱＩをユーザ機器（ＵＥ）から受信し、前記第１のＣＱＩは、基地局に割り振られており、少なくとも１つの干渉する基地局からの低減された干渉または無干渉を有する少なくとも１つの第１のサブフレームに基づいて決定され、前記第２のＣＱＩは、前記少なくとも１つの干渉基地局に割り振られている少なくとも１つの第２のサブフレームに基づいて決定される手段と、
前記第１のＣＱＩ、または、前記第２のＣＱＩ、あるいは、双方に基づいて、データの送信を前記ＵＥに送る手段とを具備する装置。
【請求項６１】
前記基地局に割り振られているサブフレームと、前記少なくとも１つの干渉する基地局に割り振られているサブフレームとを伝えるリソースパーティショニング情報を送る手段をさらに具備する請求項６０記載の装置。
【請求項６２】
前記少なくとも１つの第２のサブフレームは、前記第２のＣＱＩが報告されるサブフレームに関するオフセットに基づいて決定される請求項６０記載の装置。
【請求項６３】
ワイヤレス通信のための装置において、
第１のチャネル品質インジケータ（ＣＱＩ）および第２のＣＱＩをユーザ機器（ＵＥ）から受信し、前記第１のＣＱＩ、または、前記第２のＣＱＩ、あるいは、双方に基づいて、データの送信を前記ＵＥに送るように構成されている少なくとも１つのプロセッサを具備し、
前記第１のＣＱＩは、基地局に割り振られており、少なくとも１つの干渉する基地局からの低減された干渉または無干渉を有する少なくとも１つの第１のサブフレームに基づいて決定され、前記第２のＣＱＩは、前記少なくとも１つの干渉基地局に割り振られている少なくとも１つの第２のサブフレームに基づいて決定される装置。
【請求項６４】
前記少なくとも１つのプロセッサは、前記基地局に割り振られているサブフレームと、前記少なくとも１つの干渉する基地局に割り振られているサブフレームとを伝えるリソースパーティショニング情報を送るように構成されている請求項６３記載の装置。
【請求項６５】
前記少なくとも１つの第２のサブフレームは、前記第２のＣＱＩが報告されるサブフレームに関するオフセットに基づいて決定される請求項６３記載の装置。
【請求項６６】
コンピュータプログラムプロダクトにおいて、
コンピュータ読取可能媒体を含み、
前記コンピュータ読取可能媒体は、
第１のチャネル品質インジケータ（ＣＱＩ）および第２のＣＱＩをユーザ機器（ＵＥ）から少なくとも１つのプロセッサに受信させるためのコードと、
前記第１のＣＱＩ、または、前記第２のＣＱＩ、あるいは、双方に基づいて、データの送信を前記ＵＥに前記少なくとも１つのプロセッサに送らせるためのコードとを含み、
前記第１のＣＱＩは、基地局に割り振られており、少なくとも１つの干渉する基地局からの低減された干渉または無干渉を有する少なくとも１つの第１のサブフレームに基づいて決定され、前記第２のＣＱＩは、前記少なくとも１つの干渉基地局に割り振られている少なくとも１つの第２のサブフレームに基づいて決定されるコンピュータプログラムプロダクト。
【請求項６７】
ワイヤレス通信のための方法において、
異なるレベルの干渉に関係付けられている複数のサブフレームタイプに対する複数のセットポイントを維持することと、
データをユーザ機器（ＵＥ）に送信するためのサブフレームに基づいて、前記複数のセットポイントの中からセットポイントを選択することと、
前記選択したセットポイントに基づいて、前記サブフレーム中でデータを前記ＵＥに送信することとを含む方法。
【請求項６８】
前記サブフレームに適用可能なチャネル品質インジケータ（ＣＱＩ）を前記ＵＥから受信することと、
前記選択したセットポイントと前記ＣＱＩとに基づいて、送信電力レベルを決定することと、
前記決定した送信電力レベルに基づいて、データを前記ＵＥに送信することとをさらに含む請求項６７記載の方法。
【請求項６９】
前記サブフレームに適用可能なチャネル品質インジケータ（ＣＱＩ）を前記ＵＥから受信することと、
前記選択したセットポイントと前記ＣＱＩとに基づいて、データを前記ＵＥに送信するために使用するリソースの量を決定することと、
前記決定したリソースの量に基づいて、データを前記ＵＥに送信することとをさらに含む請求項６７記載の方法。
【請求項７０】
前記複数のセットポイントを維持することは、各サブフレームタイプのサブフレームに対して推定される干渉、または、性能のターゲットレベル、あるいは、双方に基づいて、前記各サブフレームタイプに対するセットポイントを決定することを含む請求項６７記載の方法。
【請求項７１】
前記性能のターゲットレベルは、特定のターゲットエラーレート、または、特定のハイブリッド自動再送要求（ＨＡＲＱ）ターゲット終了、あるいは、双方により、与えられる請求項７０記載の方法。
【請求項７２】
前記複数のセットポイントを維持することは、前記ＵＥに対して、前記複数のサブフレームタイプに対する前記複数のセットポイントを維持することを含み、セットポイントの複数のセットが、複数のＵＥに対して維持され、各ＵＥに対して、セットポイントの１つのセットが維持される請求項６７記載の方法。
【請求項７３】
前記複数のセットポイントを維持することは、特定の物理チャネルに対して、前記複数のサブフレームタイプに対する前記複数のセットポイントを維持することを含み、セットポイントの複数のセットが、複数の物理チャネルに対して維持され、各物理チャネルに対して、セットポイントの１つのセットが維持される請求項６７記載の方法。
【請求項７４】
前記データを前記ＵＥに送信することは、物理ダウンリンク制御チャネル（ＰＤＣＣＨ）、または、物理ＨＡＲＱインジケータチャネル（ＰＨＩＣＨ）、または、物理ダウンリンク共有チャネル（ＰＤＳＣＨ）上で、データを前記ＵＥに送信することを含む請求項６７記載の方法。
【請求項７５】
ワイヤレス通信のための装置において、
異なるレベルの干渉に関係付けられている複数のサブフレームタイプに対する複数のセットポイントを維持する手段と、
データをユーザ機器（ＵＥ）に送信するためのサブフレームに基づいて、前記複数のセットポイントの中からセットポイントを選択する手段と、
前記選択したセットポイントに基づいて、前記サブフレーム中でデータを前記ＵＥに送信する手段とを具備する装置。
【請求項７６】
前記サブフレームに適用可能なチャネル品質インジケータ（ＣＱＩ）を前記ＵＥから受信する手段と、
前記選択したセットポイントと前記ＣＱＩとに基づいて、送信電力レベルを決定する手段と、
前記決定した送信電力レベルに基づいて、データを前記ＵＥに送信する手段とをさらに具備する請求項７５記載の装置。
【請求項７７】
前記複数のセットポイントを維持する手段は、各サブフレームタイプのサブフレームに対して推定される干渉、または、性能のターゲットレベル、あるいは、双方に基づいて、前記各サブフレームタイプに対するセットポイントを決定する手段を備える請求項７５記載の装置。
【請求項７８】
前記複数のセットポイントを維持する手段は、前記ＵＥに対して、前記複数のサブフレームタイプに対する前記複数のセットポイントを維持する手段を備え、セットポイントの複数のセットが、複数のＵＥに対して維持され、各ＵＥに対して、セットポイントの１つのセットが維持される請求項７５記載の装置。
【請求項７９】
ワイヤレス通信のための装置において、
異なるレベルの干渉に関係付けられている複数のサブフレームタイプに対する複数のセットポイントを維持し、データをユーザ機器（ＵＥ）に送信ためのサブフレームに基づいて、前記複数のセットポイントの中からセットポイントを選択し、前記選択したセットポイントに基づいて、前記サブフレーム中でデータを前記ＵＥに送信するように構成されている少なくとも１つのプロセッサを具備する装置。
【請求項８０】
前記少なくとも１つのプロセッサは、前記サブフレームに適用可能なチャネル品質インジケータ（ＣＱＩ）を前記ＵＥから受信し、前記選択したセットポイントと前記ＣＱＩとに基づいて、送信電力レベルを決定し、前記決定した送信電力レベルに基づいて、データを前記ＵＥに送信するように構成されている請求項７９記載の装置。
【請求項８１】
前記少なくとも１つのプロセッサは、各サブフレームタイプのサブフレームに対して推定される干渉、または、性能のターゲットレベル、あるいは、双方に基づいて、前記各サブフレームタイプに対するセットポイントを決定するように構成されている請求項７９記載の装置。
【請求項８２】
前記少なくとも１つのプロセッサは、前記ＵＥに対して、前記複数のサブフレームタイプに対する前記複数のセットポイントを維持し、複数のＵＥに対して、セットポイントの複数のセットを維持し、各ＵＥに対して、セットポイントの１つのセットを維持するように構成されている請求項７９記載の装置。
【請求項８３】
コンピュータプログラムプロダクトにおいて、
コンピュータ読取可能媒体を含み、
前記コンピュータ読取可能媒体は、
異なるレベルの干渉に関係付けられている複数のサブフレームタイプに対する複数のセットポイントを少なくとも１つのプロセッサに維持させるためのコードと、
データをユーザ機器（ＵＥ）に送信するためのサブフレームに基づいて、前記複数のセットポイントの中からセットポイントを前記少なくとも１つのプロセッサに選択させるためのコードと、
前記選択したセットポイントに基づいて、前記サブフレーム中でデータを前記ＵＥに前記少なくとも１つのプロセッサに送信させるためのコードとを含むコンピュータプログラムプロダクト。
【発明の詳細な説明】
【優先権の主張】
【０００１】
本出願は、“ワイヤレス通信ネットワークにおけるＣＱＩ推定”と題し、２０１０年４月１３日に出願された米国仮出願シリアル番号６１／３２３，８２２、および、“ロングタームエボリューション（ＬＴＥ）ネットワークにおけるダウンリンク電力制御のための方法および装置”と題し、２０１０年４月１３日に出願された米国仮出願シリアル番号６１／３２３，７７０に対して優先権を主張し、双方は、本発明の譲受人に譲渡され、参照によりそれらのすべてがここに組み込まれている。
【分野】
【０００２】
本開示は、一般的に、通信に関し、さらに詳細には、ワイヤレス通信ネットワークにおけるチャネル品質インジケータ（ＣＱＩ）を推定する技術に関する。
【背景】
【０００３】
ワイヤレス通信ネットワークは、音声、ビデオ、パケットデータ、メッセージング、ブロードキャスト等のような、さまざまな通信コンテンツを提供するために、広く採用されている。これらのワイヤレスネットワークは、利用可能なネットワークリソースを共有することにより、複数のユーザをサポートできる多元接続ネットワークであってもよい。このような多元接続ネットワークの例は、コード分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワークおよび単一搬送波ＦＤＭＡ（ＳＣ−ＦＤＭＡ）ネットワークを含む。
【０００４】
ワイヤレス通信ネットワークは、多数のユーザ機器（ＵＥ）に対する通信をサポートできる多数の基地局を備えていてもよい。基地局は、データをＵＥに送信してもよい。基地局からＵＥへの通信チャネルの品質をＵＥに推定させることと、推定されたチャネル品質に基づいてＣＱＩを決定することと、ＣＱＩを基地局に送ることとにより、良好な性能を達成してもよい。ＣＱＩは、推定されたチャネル品質、または、通信チャネル上でのデータ送信に対して使用できる変調およびコーディングスキームを示してもよい。データ送信対して、良好な性能を達成できるように、ＣＱＩを正確に推定および報告することが望ましいかもしれない。
【概要】
【０００５】
ＣＱＩを推定および報告する技術を記述する。隣接する基地局は、別のものに対して強い干渉を起こすことがあり、例えば、異なるサブフレームのような、異なるリソースを割り振られることがある。各基地局に割り振られているリソースは、他の基地局からの低減された干渉または無干渉を有するかもしれない。各基地局に割り振られていないリソースは、他の基地局からの強い干渉を有するかもしれない。基地局と通信するＵＥは、異なるリソースにおける異なるレベル／量の干渉を観測してもよい。
【０００６】
ある態様では、ＵＥは、基地局に割り振られており、少なくとも１つの干渉する基地局からの低減された干渉または無干渉を有するリソースに対するＣＱＩを決定してもよい。１つの設計では、ＵＥは、基地局に割り振られているリソース（例えば、サブフレーム）を伝えるシグナリングを受信してもよい。ＵＥは、受信したシグナリングに基づいて、基地局に割り振られている少なくとも１つのリソースを決定してもよい。ＵＥは、基地局に割り振られている少なくとも１つのリソースに基づいて、ＣＱＩを決定してもよく、少なくとも１つの干渉基地局に割り振られているリソースを除いてもよい。ＵＥは、ＣＱＩを基地局に送ってもよく、その後、ＣＱＩに基づいて基地局により送られたデータの送信を受信してもよい。
【０００７】
別の態様では、ＵＥは、異なるタイプのリソースに対する、異なる干渉レベルに関係付けられている複数のＣＱＩを決定してもよい。１つの設計では、ＵＥは、基地局に半静的に割り振られているサブフレームと、少なくとも１つの干渉する基地局に半静的に割り振られているサブフレームとを伝えるリソースパーティショニング情報を受信してもよい。ＵＥは、リソースパーティショニング情報に基づいて、基地局に割り振られている少なくとも１つの第１のサブフレームと、少なくとも１つの干渉基地局に割り振られている少なくとも１つの第２のサブフレームとを決定してもよい。少なくとも１つの第１のサブフレームは、少なくとも１つの干渉基地局からの低減された干渉または無干渉を有するかもしれない。ＵＥは、少なくとも１つの第１のサブフレームに基づいて、第１のＣＱＩを決定してもよく、少なくとも１つの第２のサブフレームに基づいて、第２のＣＱＩを決定してもよい。ＵＥは、第１のＣＱＩおよび第２のＣＱＩを基地局に送ってもよい。ＵＥは、その後、第１のＣＱＩおよび／または第２のＣＱＩに基づいて基地局により送られたデータの送信を受信してもよい。
【０００８】
基地局は、下記に記述するように、ＵＥによるＣＱＩ推定および報告をサポートするために、相補的な機能を実行してもよい。本開示のさまざまな態様および特徴をより詳細に下記に記述する。
【図面の簡単な説明】
【０００９】
【図１】図１は、ワイヤレス通信ネットワークを示している。
【図２】図２は、例示的なフレーム構造を示している。
【図３】図３は、２つの例示的なサブフレームフォーマットを示している。
【図４】図４は、例示的なインターレース構造を示している。
【図５】図５は、２つの基地局に対するリソースパーティショニングの例を示している。
【図６】図６は、割り振られているリソースに対するクリーンなＣＱＩを決定するプロセスを示している。
【図７】図７は、割り振られているリソースに対するクリーンなＣＱＩを受信するプロセスを示している。
【図８】図８は、異なるリソースに対する複数のＣＱＩを決定するプロセスを示している。
【図９】図９は、異なるリソースに対する複数のＣＱＩを受信するプロセスを示している。
【図１０】図１０は、データを送信するプロセスを示している。
【図１１】図１１は、基地局およびＵＥの設計のブロックダイヤグラムを示している。
【図１２】図１２は、基地局およびＵＥの別の設計のブロックダイヤグラムを示している。
【詳細な説明】
【００１０】
ここに記述する技術は、ＣＤＭＡ、ＴＤＭＡ、ＦＤＭＡ、ＯＦＤＭＡ、ＳＣ−ＦＤＭＡおよび他のネットワークのような、さまざまなワイヤレス通信ネットワークに対して使用してもよい。“ネットワーク”および“システム”という用語は、区別なく使用されることが多い。ＣＤＭＡネットワークは、ユニバーサル地上無線アクセス（ＵＴＲＡ）、ｃｄｍａ２０００等のような、無線技術を実現してもよい。ＵＴＲＡは、ワイドバンドＣＤＭＡ（ＷＣＤＭＡ（登録商標））、時分割同期ＣＤＭＡ（ＴＤ−ＳＣＤＭＡ）および他のＣＤＭＡの変形を含む。ｃｄｍａ２０００は、ＩＳ−２０００、ＩＳ−９５およびＩＳ−８５６の標準規格をカバーしている。ＴＤＭＡネットワークは、グローバルシステムフォーモバイルコミュニケーション（ＧＳＭ（登録商標））のような無線技術を実現してもよい。ＯＦＤＭＡネットワークは、進化ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、フラッシュ−ＯＦＤＭ等のような、無線技術を実現してもよい。ＵＴＲＡおよびＥ−ＵＴＲＡは、ユニバーサルモバイルテレコミュニケーションシステム（ＵＭＴＳ）の一部である。周波数分割二重（ＦＤＤ）および時分割二重（ＴＤＤ）の双方における、３ＧＰＰロングタームエボリューション（ＬＴＥ）およびＬＴＥアドバンスド（ＬＴＥ−Ａ）は、ダウンリンク上でＯＦＤＭＡを用い、アップリンク上でＳＣ−ＦＤＭＡを用いる、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−ＡおよびＧＳＭは、“第３世代パートナーズシッププロジェクト”（３ＧＰＰ）という名称の機関からの文書中に記載されている。ｃｄｍａ２０００およびＵＭＢは、“第３世代パートナーズシッププロジェクト２”（３ＧＰＰ２）という名称の機関からの文書中に記載されている。ここで記述する技術は、上述したワイヤレスネットワークおよび無線技術とともに、他のワイヤレスネットワークおよび無線技術に対して使用してもよい。明瞭性のために、ＬＴＥに対して、下記に技術の特定の態様を記述し、下記の記述の多くには、ＬＴＥ専門用語を使用している。
【００１１】
図１は、ＬＴＥネットワークまたは他の何らかのワイヤレスネットワークであってもよい、ワイヤレス通信ネットワーク１００を示している。ワイヤレスネットワーク１００は、多くの進化型ノードＢ（ｅＮＢ）１１０および他のネットワークエンティティを備えていてもよい。ｅＮＢは、ＵＥと通信するエンティティであってもよく、基地局、ノードＢ、アクセスポイント等と呼ばれることもある。各ｅＮＢは、特定の地理的エリアに対する通信カバレッジを提供してもよく、カバレッジエリア内に位置付けられているＵＥに対する通信をサポートしてもよい。ネットワーク容量を向上させるために、ｅＮＢの全体的なカバレッジエリアを複数（例えば、３つ）のより小さなエリアに分割してもよい。より小さな各エリアは、それぞれのｅＮＢサブシステムにより担当されてもよい。３ＧＰＰでは、“セル”という用語は、ｅＮＢのカバレッジエリア、および／または、このカバレッジエリアを担当するｅＮＢサブシステムのことを指すことができる。一般的に、ｅＮＢは、１つまたは複数（３つ）のセルをサポートしてもよい。
【００１２】
ｅＮＢは、マクロセル、ピコセル、フェムトセル、および／または、他のタイプのセルに対する通信カバレッジを提供してもよい。マクロセルは、相対的に大きな地理的エリア（例えば、半径数キロメートル）をカバーしてもよく、サービス加入により、ＵＥによる制限されていないアクセスを可能にしてもよい。ピコセルは、相対的に小さい地理的エリアをカバーしてもよく、サービス加入により、ＵＥによる制限されていないアクセスを可能にしてもよい。フェムトセルは、相対的に小さい地理的エリア（例えば、ホーム）をカバーしてもよく、フェムトセルに関係付けられているＵＥ（例えば、閉じられた加入者グループ（ＣＳＧ）中のＵＥ）による、制限されているアクセスを可能にしてもよい。マクロセルに対するｅＮＢは、マクロｅＮＢと呼ばれてもよい。ピコセルに対するｅＮＢは、ピコｅＮＢと呼ばれてもよい。フェムトセルに対するｅＮＢは、ホームｅＮＢ（ＨｅＮＢ）と呼ばれてもよい。図１中に示されている例では、ｅＮＢ１１０ａは、マクロセル１０２ａに対するマクロｅＮＢであってもよく、ｅＮＢ１１０ｂは、ピコセル１０２ｂに対するピコｅＮＢであってもよく、ｅＮＢ１１０ｃは、フェムトセル１０２ｃに対するホームｅＮＢであってもよい。“ｅＮＢ”および“基地局”という用語は、ここでは区別なく使用される。
【００１３】
ワイヤレスネットワーク１００はまた、中継器を備えていてもよい。中継器は、アップストリーム局（例えば、ｅＮＢまたはＵＥ）からのデータの送信を受信でき、ダウンストリーム局（例えば、ＵＥまたはｅＮＢ）へデータの送信を送ることができるエンティティであってもよい。中継器はまた、他のＵＥに対する送信を中継できるＵＥであってもよい。図１中で示されている例では、中継器１１０ｄは、ｅＮＢ１１０ａとＵＥ１２０ｄとの間の通信を促進するために、マクロｅＮＢ１１０ａおよびＵＥ１２０ｄと通信してもよい。中継器はまた、中継局、中継ｅＮＢ、中継基地局等と呼ばれてもよい。
【００１４】
ワイヤレスネットワーク１００は、異なるタイプのｅＮＢ、例えば、マクロｅＮＢ、ピコｅＮＢ、ホームｅＮＢ、中継器等、を含む異種ネットワーク（ＨｅｔＮｅｔ）であってもよい。これらの異なるタイプのｅＮＢは、ワイヤレスネットワーク１００において、異なる送信電力レベル、異なるカバレッジエリア、および、干渉における異なる影響を有しているかもしれない。例えば、マクロｅＮＢは、高い送信電力レベル（例えば、５から４０ワット）を有していてもよい一方で、ピコｅＮＢ、ＨｅＮＢおよび中継器は、より低い送信電力レベル（例えば、０．１から２ワット）を有していてもよい。
【００１５】
ネットワーク制御装置１３０は、ｅＮＢのセットに結合されていてもよく、これらのｅＮＢに対する調整および制御を提供してもよい。ネットワーク制御装置１３０は、バックホールを介してｅＮＢと通信してもよい。ｅＮＢはまた、例えば、ワイヤレスバックホールまたはワイヤーラインバックホールを介して、直接的にまたは間接的に、互いに通信してもよい。
【００１６】
ＵＥ１２０は、ワイヤレスネットワーク１００全体を通して分散されていてもよく、各ＵＥは、静的なものまたは移動性のものであってもよい。ＵＥはまた、移動局、端末、アクセス端末、加入者ユニット、局等と呼ばれることもある。ＵＥは、セルラ電話機、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、スマートフォン、ネットブック、スマートブック、タブレット等であってもよい。ＵＥは、ダウンリンクおよびアップリンクを介してｅＮＢと通信してもよい。ダウンリンク（すなわちフォワードリンク）は、ｅＮＢからＵＥへの通信リンクのことを指し、アップリンク（すなわちリバースリンク）は、ＵＥからｅＮＢへの通信リンクのことを指す。図１中では、両端矢印を持つ実線は、ＵＥと担当ｅＮＢとの間の所望の送信を示しており、この担当ｅＮＢは、ダウンリンクおよび／またはアップリンク上のＵＥを担当するように指定されているｅＮＢである。両端矢印を持つ破線は、ＵＥとｅＮＢとの間の干渉送信を示している。
【００１７】
図２は、ＬＴＥにおけるＦＤＤに対する例示的なフレーム構造２００を示している。ダウンリンクおよびアップリンクの各々に対する送信タイムラインは、無線フレームの単位に分割されてもよい。各無線フレームは、予め定められている持続期間（例えば、１０ミリ秒（ｍｓ））を有していてもよく、０ないし９のインデックスを持つ１０個のサブフレームに分割されてもよい。各サブフレームは、２個のスロットを含んでいてもよい。各無線フレームは、したがって、０ないし１９のインデックスを持つ２０個のスロットを含んでいてよい。各スロットは、Ｌ個のシンボル期間、例えば、（図２中で示されているように）ノーマルサイクリックプリフィックスに対して７個のシンボル期間、または、拡張サイクリックプリフィックスに対して６個のシンボル期間を含んでいてもよい。各サブフレーム中の２Ｌ個のシンボル期間に、０ないし２Ｌ−１のインデックスが割り当てられていてもよい。
【００１８】
ＬＴＥは、ダウンリンク上で直交周波数分割多重（ＯＦＤＭ）を利用し、アップリンク上で単一搬送波周波数分割多重（ＳＣ−ＦＤＭ）を利用する。ＯＦＤＭおよびＳＣ−ＦＤＭは、周波数範囲を複数の（ＮFFT本の）直交副搬送波に分割し、これらの直交副搬送波は、通常、トーン、ビン等とも呼ばれる。各副搬送波は、データにより変調されてもよい。一般的に、変調シンボルは、ＯＦＤＭでは周波数ドメイン中で、および、ＳＣ−ＦＤＭでは時間ドメイン中で送られる。隣接する副搬送波間の間隔は固定であってもよく、副搬送波の総数（ＮFFT本）は、システム帯域幅に依存していてもよい。例えば、副搬送波間隔は、１５キロヘルツ（ＫＨｚ）であってもよく、ＮFFTは、１．２５、２．５、５、１０または２０メガヘルツ（ＭＨｚ）のシステム帯域幅に対して、それぞれ、１２８、２５６、５１２、１０２４または２０４８に等しくてもよい。また、システム帯域幅をサブバンドに分割してもよい。各サブバンドは、周波数の範囲、例えば、１．０８ＭＨｚ、または、他のいくつかの範囲をカバーしてもよい。
【００１９】
ダウンリンクおよびアップリンクのそれぞれに対して利用可能な時間周波数リソースを、リソースブロックに分割してもよい。各リンクに対して利用可能なスロット中のリソースブロックの数は、システム帯域幅に依存してもよく、１．２５ＭＨｚから２０ＭＨｚのシステム帯域幅に対して、６個から１１０個にわたってもよい。各リソースブロックは、１個のスロット中の１２本の副搬送波をカバーしてもよく、多数のリソースエレメントを含んでいてもよい。各リソースエレメントは、１個のシンボル期間中の１個の副搬送波をカバーしてもよく、実数値または複素数値であってもよい１個の変調シンボルを送るために使用されてもよい。
【００２０】
ＬＴＥでは、ｅＮＢは、ｅＮＢによってサポートされる各セルに対して、システム帯域幅の中心１．０８ＭＨｚ中で、ダウンリンク上で、プライマリ同期信号（ＰＳＳ）およびセカンダリ同期信号（ＳＳＳ）を送信してもよい。図２中に示されているように、ＰＳＳおよびＳＳＳは、それぞれ、ノーマルサイクリックプリフィックスを持つ各無線フレームのサブフレーム０および５におけるシンボル期間６および５中で送信されてもよい。ＰＳＳおよびＳＳＳは、セルのサーチおよび獲得のためにＵＥにより使用されてもよい。ｅＮＢは、ｅＮＢによりサポートされる各セルに対して、システム帯域幅にわたって、セル固有基準信号（ＣＲＳ）を送信してもよい。ＣＲＳは、各サブフレームの特定のシンボル期間中に送信されてもよく、チャネル推定、チャネル品質測定および／または他の機能を実行するために、ＵＥにより使用されてもよい。ｅＮＢはまた、特定の無線フレーム中のスロット１におけるシンボル期間０から３中で、物理ブロードキャストチャネル（ＰＢＣＨ）を送信してもよい。ＰＢＣＨは、いくつかのシステム情報を伝えてもよい。ｅＮＢは、特定のサブフレーム中で、物理ダウンリンク共有チャネル（ＰＤＳＣＨ）上で、システム情報ブロック（ＳＩＢ）のような他のシステム情報を送信してもよい。
【００２１】
図３は、ノーマルサイクリックプリフィックスを持つダウンリンクに対する、２つの例示的なサブフレームフォーマット３１０および３２０を示している。サブフレームフォーマット３１０は、２本のアンテナを装備するｅＮＢに対して使用してもよい。ＣＲＳは、シンボル期間０、４、７および１１中で、アンテナ０および１から送信されてもよい。基準信号は、送信機および受信機によりアプリオリに知られている信号であり、パイロットとも呼ばれることがある。ＣＲＳは、セルに固有の、例えば、セル識別子（ＩＤ）に基づいて発生された、基準信号である。図３中では、ラベルＲaを持つ所定のリソースエレメントに対して、そのリソースエレメント上で、アンテナａから変調シンボルが送信されてもよく、そのリソースエレメント上で、他のアンテナからは変調シンボルが送信されない。サブフレームフォーマット３２０は、４本のアンテナを装備するｅＮＢに対して使用してもよい。ＣＲＳは、シンボル期間０、４、７および１１中で、アンテナ０および１から送信されてもよく、シンボル期間１および８中で、アンテナ２および３から送信されてもよい。サブフレームフォーマット３１０および３２０の双方に対して、ＣＲＳは、セルＩＤに基づいて決定されてもよい、等しく間隔をあけている副搬送波上で送信されてもよい。異なるｅＮＢは、それらのセルＩＤに依存して、同一の副搬送波または異なる副搬送波上で、それらのＣＲＳを送信してもよい。サブフレームフォーマット３１０および３２０の双方に対して、ＣＲＳに対して使用されないリソースエレメントを、データ（例えば、トラフィックデータ、制御データおよび／または他のデータ）を送信するために使用してもよい。
【００２２】
ＬＴＥにおける、ＰＳＳ、ＳＳＳ、ＣＲＳおよびＰＢＣＨは、公的に入手可能である、“進化型ユニバーサル地上無線アクセス（Ｅ−ＵＴＲＡ）；物理チャネルおよび変調”と題する３ＧＰＰ ＴＳ ３６．２１１中に記載されている。
【００２３】
図４は、ＬＴＥにおけるＦＤＤに対するダウンリンクおよびアップリンクのそれぞれに対して使用できる例示的なインターレース構造４００を示している。図４中で示されているように、０ないしＱ−１のインデックスを持つＱ個のインターレースを規定してもよく、Ｑは、４、６、８、１０に等しく、または、他の何らかの値であってもよい。各インターレースは、Ｑ個のサブフレームだけ間隔をあけて離されているサブフレームを含んでいてもよい。特に、インターレースｑは、サブフレームｑ、ｑ＋Ｑ、ｑ＋２Ｑ等を含んでもよく、ここでｑ∈｛０，...，Ｑ−１｝である。
【００２４】
ワイヤレスネットワークは、ダウンリンクおよび／またはアップリンク上での、ハイブリッド自動再送要求（ＨＡＲＱ）によるデータ送信をサポートしてもよい。ＨＡＲＱに対して、送信機（例えば、ｅＮＢ）は、データパケットの最初の送信を送ってもよく、その後、必要な場合に、受信機（例えば、ＵＥ）によりパケットが正しくデコードされるまで、または、最大送信数が送られるまで、または、他の何らかの終了条件に直面するまで、パケットの１つ以上の追加送信を送ってもよい。パケットの各送信の後に、受信機は、すべての受信されたパケットの送信をデコードして、パケットを復元するように試行してもよい。受信機は、パケットが正しくデコードされた場合に、肯定応答（ＡＣＫ）を送ってもよく、または、パケットが誤ってデコードされた場合に、否定応答（ＮＡＣＫ）を送ってもよい。送信機は、ＮＡＣＫが受信された場合に、別のパケットの送信を送ってもよく、ＡＣＫが受信された場合に、パケットの送信を終了させてもよい。送信機は、変調およびコーディングスキーム（ＭＣＳ）に基づいて、パケットを処理（例えば、エンコードおよび変調）してもよく、変調およびコーディングスキーム（ＭＣＳ）は、パケットのターゲット数の送信の後に、パケットを高い確率で正しくデコードできるように選択されてもよい。このターゲット数の送信は、ＨＡＲＱターゲット終了のことを指す。
【００２５】
同期ＨＡＲＱに対して、パケットのすべての送信は、単一のインターレースのサブフレーム中で送られてもよい。非同期ＨＡＲＱに対して、パケットの各送信は、どのサブフレーム中で送られてもよい。
【００２６】
ＵＥは、複数のｅＮＢのカバレッジ内に位置付けられていてもよい。これらのｅＮＢのうちの１つは、ＵＥを担当するために選択されてもよい。担当ｅＮＢは、受信信号強度、受信信号品質、パス損失等のような、さまざまな基準に基づいて選択されてもよい。受信信号品質は、信号対ノイズおよび干渉比（ＳＩＮＲ）、搬送波対干渉比（Ｃ／Ｉ）、基準信号受信品質（ＲＳＲＱ）等により、定量化されてもよい。明瞭性のために、下記の記述の多くにおいて、受信信号品質を示すのにＳＩＮＲを使用する。
【００２７】
ＵＥは、ＵＥが１つ以上の干渉ｅＮＢから強い干渉を観測するかもしれない、支配的な干渉シナリオにおいて動作し得る。支配的な干渉シナリオは、制限されたアソシエーションのために起こることがある。例えば、図１中では、ＵＥ１２０ｃは、ＨｅＮＢ１１０ｃに接近しているかもしれず、ｅＮＢ１１０ｃに対して高い受信電力を有しているかもしれない。しかしながら、ＵＥ１２０ｃは、制限されたアソシエーションのために、ＨｅＮＢ１１０ｃにアクセスできないかもしれず、その後、より低い受信電力でマクロｅＮＢ１１０ａに接続するかもしれない。ＵＥ１２０ｃは、その後、ダウンリンク上で、ＨｅＮＢ１１０ｃからの高干渉を観測するかもしれず、また、アップリンク上で、ＨｅＮＢ１１０ｃに対して高干渉を起こすかもしれない。
【００２８】
支配的な干渉シナリオはまた、範囲拡張のために起こることがある。これは、ＵＥにより検出されたすべてのｅＮＢ間で、より低いパス損失、および、ことによると、より低いＳＩＮＲを持つｅＮＢとＵＥが接続するシナリオである。例えば、図１中で、ＵＥ１２０ｂは、マクロｅＮＢ１１０ａよりも、ピコｅＮＢ１１０ｂの近くに位置付けられていてもよく、ピコｅＮＢ１１０ｂに対するより低いパス損失を有していてもよい。しかしながら、ＵＥ１２０ｂは、マクロｅＮＢ１１０ａに比較して、ピコｅＮＢ１１０ｂのより低い送信電力レベルのために、マクロｅＮＢ１１０ａよりも低い、ピコｅＮＢ１１０ｂに対する受信電力を有しているかもしれない。それにもかかわらず、より低いパス損失のために、ＵＥ１２０ｂがピコｅＮＢ１１０ｂに接続することが望ましいかもしれない。これにより、結果として、ＵＥ１２０ｂの所定のデータレートに対する、ワイヤレスネットワークへの干渉がより少なくなる。
【００２９】
支配的な干渉シナリオにおける通信は、セル間干渉調整（ＩＣＩＣ）を実行することによりサポートされてもよい。ＩＣＩＣの１つ設計では、リソースパーティショニング／調整を実行して、１つ以上の強い干渉ｅＮＢの付近に位置付けられているｅＮＢにリソースを割り振ってもよい。干渉ｅＮＢは、送信を回避してもよく、または、ことによると、ＣＲＳを除いて、割り振られているリソース上で、より低い電力レベルで送信してもよい。そして、ＵＥは、干渉ｅＮＢがある状態で、割り振られているリソース上でｅＮＢと確実に通信でき、干渉ｅＮＢからの、（ことによるとＣＲＳ以外の）低減された干渉または無干渉を観測してもよい。例えば、図１中では、いくつかのリソースは、ピコｅＮＢ１１０ｂに割り振られてもよく、干渉マクロｅＮＢ１１０ａからの低減された干渉または無干渉を有していてもよい。そして、ピコｅＮＢ１１０ｂは、割り振られているリソース上でＵＥ１２０ｂと確実に通信できる。
【００３０】
一般的に、リソースパーティショニングを介して、時間および／または周波数リソースをｅＮＢに割り振ってもよい。１つの設計では、システム帯域幅は、多数のサブバンドに分割されてもよく、１つ以上のサブバンドがｅＮＢに割り振られてもよい。別の設計では、サブフレームのセットがｅＮＢに割り振られてもよい。さらに別の設計では、リソースブロックのセットがｅＮＢに割り振られてもよい。明瞭性のために、下記の記述の多くは、１つ以上のインターレースがｅＮＢに割り振られる時分割多重（ＴＤＭ）リソースパーティショニングスキームを仮定する。割り振られているインターレースのサブフレームは、強い干渉ｅＮＢからの低減された干渉または無干渉を観測してもよい。ＴＤＭリソースパーティショニングは、マクロｅＮＢおよび他のタイプのｅＮＢが同一の周波数チャネル上で動作する共通チャネル配備において特に適用可能であってもよい。
【００３１】
一般的に、リソースパーティショニングは、（例えば、バックホールを介した交渉を通して）ｅＮＢのグループにより、または、ｅＮＢのグループに対して指定されたネットワークエンティティ（例えば、図１中のネットワーク制御装置１３０）により、実行されてもよい。１つの設計では、各ｅＮＢは、そのｅＮＢにより使用でき、グループ中の他のｅＮＢからの低減された干渉または無干渉を有するいくつかのリソース（例えば、いくつかのサブフレーム）が割り振られてもよい。１つ設計では、リソースパーティショニングは、半静的な方法で実行されてもよい。別の設計では、リソースパーティショニングは、半静的な、かつ、動的／適応的な方法で実行されてもよい。例えば、いくつかの最小リソース（例えば、最小数のサブフレーム）が、半静的にｅＮＢに割り振られてもよく、追加のリソース（例えば、追加のサブフレーム）が、動的にまたは適応的にｅＮＢに割り振られてもよい。半静的に割り振られているリソースにより、各ｅＮＢは、制御データを確実に送り、そのＵＥとの通信をサポートするために十分なリソースを確実に有することができる。動的に割り振られているリソースは、異なるｅＮＢのトラフィック負荷に依存してもよく、トラフィックデータおよび／または他のデータを送るために使用されてもよい。明瞭性のために、下記の記述の多くは、半静的および動的なリソース割り振りを仮定する。
【００３２】
図５は、２つのｅＮＢ、ＹおよびＺを伴う支配的な干渉シナリオにおける通信をサポートするＴＤＭリソースパーティショニングの例を示している。この例では、例えば、バックホールを通したｅＮＢ間での交渉を介して、半静的な方法で、ｅＮＢ Ｙには、インターレース０が割り振られてもよく、ｅＮＢ Ｚには、インターレース７が割り振られてもよい。ｅＮＢ Ｙは、インターレース０のサブフレーム中で送信でき、送信を回避してもよく、または、インターレース７のサブフレーム中でより低い電力レベルで送信してもよい。逆に、ｅＮＢ Ｚは、インターレース７のサブフレーム中で送信でき、送信を回避してもよく、または、インターレース０のサブフレーム中でより低い電力レベルで送信してもよい。残りのインターレース１ないし６のサブフレームは、ｅＮＢ Ｙおよび／またはｅＮＢ Ｚに動的に／適応的に割り振られてもよい。
【００３３】
表１は、１つの設計にしたがった異なるタイプのサブフレームをリストにしている。ｅＮＢ Ｙの観点からすると、ｅＮＢ Ｙに割り振られているインターレースは、ｅＮＢ Ｙにより使用でき、干渉ｅＮＢからの低減された干渉または無干渉を有する（Ｕサブフレームとして示されている）“保護された”サブフレームを含んでもよい。別のｅＮＢ Ｚに割り振られているインターレースは、ｅＮＢ Ｙにより使用できず、または、より低い送信電力レベルで使用されてもよい（Ｎサブフレームとして示されている）“禁止された”サブフレームを含んでもよい。どのｅＮＢにも割り振られていないインターレースは、異なるｅＮＢにより使用できる（Ｃサブフレームとして示されている）“共通”サブフレームを含んでもよい。動的に割り振られているサブフレームは、“Ａ”プリフィックスにより示されており、（ＡＵサブフレームとして示されている）保護されたサブフレーム、または、（ＡＮサブフレームとして示されている）禁止されたサブフレーム、または、（ＡＣサブフレームとして示されている）共通サブフレームであってもよい。異なるタイプのサブフレームは、他の名称によっても呼ばれることもある。例えば、保護されたサブフレームは、予約されたサブフレーム、割り振られているサブフレーム等と呼ばれることがある。
【表１】
2014212543.tif 000003
【００３４】
１つの設計では、ｅＮＢは、静的リソースパーティショニング情報（ＳＲＰＩ）をそのＵＥに送信（例えば、ブロードキャスト）してもよい。１つ設計では、ＳＲＰＩは、Ｑ個のインターレースに対するＱ個のフィールドを含んでいてもよい。１つの設計では、各インターレースに対するフィールドは、（ｉ）ｅＮＢに割り振られており、Ｕサブフレームを含むインターレースを示すために“Ｕ”に設定され、または、（ｉｉ）別のｅＮＢに割り振られており、Ｎサブフレームを含むインターレースを示すために“Ｎ”に設定され、または、（ｉｉｉ）何らかのｅＮＢに動的に割り振られており、Ｘサブフレームを含むインターレースを示すために“Ｘ”に設定されてもよい。Ｘサブフレームは、ｅＮＢに割り振られているＡＵサブフレーム、別のｅＮＢに割り振られているＡＮサブフレーム、または、異なるｅＮＢにより使用できるＡＣサブフレームであってもよい。
【００３５】
ＵＥは、ｅＮＢからＳＲＰＩを受信してもよく、ＳＲＰＩに基づいて、ｅＮＢに対するＵサブフレームおよびＮサブフレームを識別できる。ＳＲＰＩ中の“Ｘ”としてマーク付けられている各インターレースに対して、ＵＥは、そのインターレース中のＸサブフレームが、ＡＵサブフレーム、または、ＡＮサブフレーム、または、ＡＣサブフレームになるか否かを知らないかもしれない。ＵＥは、リソースパーティショニングの部分的な知識のみを有しているかもしれず、ＳＲＰＩを介して、リソースパーティショニングの半静的な部分のみを知っているかもしれない。ｅＮＢは、リソースパーティショニングの完全な知識を有しているかもしれず、リソースパーティショニングの、半静的な部分および動的な部分を知っているかもしれない。
【００３６】
ＵＥは、ｅＮＢから受信するＣＲＳに基づいて、ｅＮＢのＳＩＮＲを推定してもよい。ＵＥは、推定されたＳＩＮＲに基づいて、ＣＱＩを決定してもよく、ＣＱＩをｅＮＢに報告してもよい。ｅＮＢは、リンクアダプテーションに対してＣＱＩを使用して、ＵＥへのデータ送信に対する変調およびコーディングスキーム（ＭＣＳ）を選択してもよい。異なるタイプのサブフレームは、異なるレベルの干渉を有するかもしれず、したがって、全く異なるＣＱＩに関係付けられているかもしれない。特に、保護されたサブフレーム（例えば、ＵおよびＡＵサブフレーム）は、支配的な干渉ｅＮＢが、これらのサブフレーム中で、送信しないか、または、より低い電力レベルで送信することから、より良好なＣＱＩにより特徴付けられてもよい。対照的に、１つ以上の支配的な干渉ｅＮＢが、より高い電力レベルで送信できる、他のサブフレーム（例えば、Ｎ、ＡＮ、ＣおよびＡＣサブフレーム）に対して、ＣＱＩは相当悪いかもしれない。ＣＱＩの観点からすると、ＡＵサブフレームは、（双方は保護されたサブフレームであることから）Ｕサブフレームと同等であってもよく、ＡＮサブフレームは、（双方は禁止されたサブフレームであることから）Ｎサブフレームと同等であってもよい。ＡＣサブフレームは、ＵおよびＡＵサブフレームとは異なり、ＮおよびＡＮサブフレームとも異なっていてもよい。したがって、ＡＣサブフレームは、ＵおよびＡＵサブフレームに対するＣＱＩと、ＮおよびＡＮサブフレームに対するＣＱＩとは、全く異なるＣＱＩにより特徴付けられてもよい。良好なリンクアダプテーション性能を達成するために、ｅＮＢは、ｅＮＢがデータをＵＥに送信してもよい各サブフレームに対して、比較的正確なＣＱＩを有するべきである。
【００３７】
ある態様では、ＵＥは、干渉ｅＮＢからの低減された干渉または無干渉を有する保護されたサブフレームに対するＣＱＩを決定してもよい。保護されたサブフレームは、それらのサブフレームに対するＣＱＩが、干渉ｅＮＢからの保護のためにより高い可能性があることから、ＵＥへのデータの送信に対して、ｅＮＢにより最初に選択されてもよい。１つ以上の保護されたサブフレームに対するＣＱＩは、それが、支配的な干渉ｅＮＢが送信しないか、または、より低い電力レベルで送信するサブフレームにわたって測定されることを強調するために、“クリーンな”ＣＱＩと呼ばれることがある。
【００３８】
別の態様では、ＵＥは、異なるレベルの干渉を観測してもよく、したがって、異なるＣＱＩに関係しているかもしれない、異なるタイプのサブフレームに対する複数のＣＱＩを決定してもよい。１つの設計では、クリーンなＣＱＩが、１つ以上の保護されたサブフレームに対して取得されてもよく、少なくとも１つの追加のＣＱＩが、少なくとも１つの基準サブフレームに対して取得されてもよい。基準サブフレームは、追加のＣＱＩを決定／推定するために使用されるサブフレームである。基準サブフレームは、保護されているサブフレームではないサブフレームであってもよく、Ｎ、ＡＮ、ＣまたはＡＣサブフレームであってもよい。１つ以上の基準サブフレームに対するＣＱＩは、それが、１つ以上の干渉ｅＮＢが高い電力レベルで送信していてもよい１つ以上のサブフレームにわたって測定されることを強調するために、“クリーンではない”ＣＱＩと呼ばれることがある。
【００３９】
１つの設計では、多数のＣＱＩモードをサポートでき、ＵＥは、各ＣＱＩモードにおける１つ以上のＣＱＩを決定してもよい。表２は、１つの設計にしたがってサポートされていてもよい３つのＣＱＩモードをリストにしている。
【表２】
2014212543.tif 000004
【００４０】
ＣＱＩモード１は、クリーンではないＣＱＩをサポートしないＣＱＩモードと互換性があってもよい。しかしながら、クリーンなＣＱＩ単独では、特に、ダウンリンク上に大量のトラフィックデータが存在し、トラフィックデータのすべてをＵサブフレーム中にスケジュールできないときに、ｅＮＢスケジューラにとって十分ではないかもしれない。ｅＮＢがＡＣサブフレーム上にＵＥをスケジュールする場合に、クリーンなＣＱＩは、ＡＣサブフレームが保護されていないことから、楽観的過ぎるかもしれず、それらのＡＣサブフレーム中のデータ送信の性能は乏しいかもしれない。ＣＱＩモード２は、クリーンなＣＱＩとクリーンではないＣＱＩとの双方を決定および報告するために使用してもよい。ＣＱＩモード３は、クリーンなＣＱＩと複数のクリーンではないＣＱＩとを決定および報告するために使用してもよい。クリーンではないＣＱＩを報告するシグナリングオーバーヘッドと、複数のクリーンではないＣＱＩを持つデータ送信性能における向上との間のトレードオフに基づいて、報告すべきクリーンではないＣＱＩの数が選択されてもよい。ＣＱＩモード２および３は、保護されたサブフレーム上か、または、他のいくつかのサブフレーム上に、ＵＥをスケジュールし、さらに、データ送信に対する良好な性能を達成する、より多くの柔軟性をｅＮＢに提供してもよい。ＣＱＩモード２および３に対して、クリーンなＣＱＩおよびクリーンではないＣＱＩの組み合わせは、指向性ＣＱＩと呼ばれることがある。
【００４１】
クリーンではないＣＱＩは、さまざまな方法で選択されてもよい１つ以上の基準サブフレームに対して決定されてもよい。１つの設計では、クリーンではないＣＱＩを決定するために使用するサブフレームは、ＵＥにより選択されてもよい。ＵＥは、ｅＮＢに対するＵおよびＮサブフレームの位置のみのその限られた知識に基づいて、クリーンでないＣＱＩを決定するために使用する１つ以上の基準サブフレームを選択してもよい。別の設計では、クリーンではないＣＱＩを決定するために使用するサブフレームは、ｅＮＢにより選択されて、ＵＥにシグナリングされてもよい。
【００４２】
第１の設計では、クリーンではないＣＱＩは、１つ以上のＮサブフレーム（他のタイプのサブフレームではない）のみに基づいて決定されてもよい。クリーンではないＣＱＩを決定するために使用されるＮサブフレームは、さまざまな方法で選択されてもよい。１つの設計では、Ｎサブフレームは、ｅＮＢにより構成されて、ＵＥにシグナリングされてもよい。例えば、ＵＥは、Ｎサブフレームを含む１つ以上のインターレース中で毎Ｐ番目のサブフレームに対するクリーンではないＣＱＩを決定するように構成されていてもよく、ここで、Ｐは任意の値であってもよい。別の設計では、ＵＥは、その中でＵＥによりＣＱＩ報告が送信されるサブフレームの出来るだけ近くにあるＮサブフレームに対するクリーンではないＣＱＩを決定するように構成されていてもよい。例えば、ＵＥはサブフレームｎ中でＣＱＩ報告を送ってもよく、クリーンではないＣＱＩを決定するために使用するＮサブフレームは、サブフレームｎ−ｍであってもよく、ここで、サブフレームｎ−ｍがＮサブフレームになるように、ｍは、ｍmin以上（すなわち、ｍ≧ｍmin）の最小整数であってもよい。ｍminは、ＣＱＩ推定と報告との間の最短遅延であってもよく、４に等しいか、または、他の何らかの値であってもよい。クリーンではないＣＱＩを決定するために使用されるＮサブフレームはまた、他の方法で選択されてもよい。ＵＥは、Ｎサブフレーム中のデータ送信に対してスケジュールされなくてもよく、Ｎサブフレームは、別のｅＮＢに対する保護されたサブフレームであってもよい。Ｎサブフレームに基づいて決定される、クリーンではないＣＱＩは、ＵＥに対する最も悪いケースを表してもよい。
【００４３】
第２の設計では、クリーンではないＣＱＩは、Ｕサブフレームを除いてもよいサブフレームのセットにわたって平均をとることにより、決定されてもよい。１つの設計では、サブフレームのセットは、ｅＮＢにより構成されて、ＵＥにシグナリングされてもよい。図５中に示されている例に対して、ＵＥは、サブフレーム１ないし７に対するクリーンではないＣＱＩを決定するように構成されていてもよい。別の設計では、サブフレームのセットは、ＣＱＩ報告がＵＥにより送られるときに依存してもよい。例えば、ＵＥは、サブフレームｎ中でＣＱＩ報告を送ってもよく、クリーンではないＣＱＩを決定するために使用されるサブフレームのセットは、ｋmin≦ｋ≦ｋmaxに対して、サブフレームｎ−ｋを含んでもよいが、任意のＵサブフレームを除く。１つの設計では、ｋminおよび／またはｋmaxは、固定の値であってもよく、例えば、標準規格中で指定されていてもよい。例えば、ｋminは、４または他の何らかの値の固定値に等しくてもよい。別の例として、ｋmax−ｋminは、８または他の何らかの値の固定値に等しくてもよい。別の設計では、ｋminおよび／またはｋmaxは、リソースパーティショニングおよび／または他の情報に基づいて、ＵＥにより決定されてもよい。例えば、ｋminは、４の固定値に等しくてもよく、ｋmaxは、インターレースの数、Ｑ個（例えば、ｋmax＝ｋmin＋Ｑ−１）に基づいて決定されてもよい。図５中に示されている例に対して、Ｑ＝８であり、サブフレームのセットは、サブフレームｎよりも先の、４から１１サブフレームである、８個までのＵではないサブフレームを含んでもよい。別の設計では、ｋminおよび／またはｋmaxは、ｅＮＢにより構成されて、ＵＥにシグナリングされてもよい。すべての設計に対して、ＵＥは、サブフレームのセット中で、各サブフレームのＳＩＮＲを推定してもよい。ＵＥは、セット中のすべてのサブフレームのＳＩＮＲの平均をとって、平均ＳＩＮＲを取得してもよい。ＵＥは、その後、平均ＳＩＮＲに基づいて、クリーンではないＣＱＩを決定してもよい。
【００４４】
第３の設計では、クリーンではないＣＱＩは、ＮおよびＵサブフレームを除いてもよいサブフレームのセットにわたって平均をとることにより、決定されてもよい。１つの設計では、サブフレームのセットは、ｅＮＢにより構成されて、ＵＥにシグナリングされてもよい。別の設計では、サブフレームのセットは、ＣＱＩ報告がＵＥにより送られるときに依存してもよい。例えば、ＵＥは、サブフレームｎ中でＣＱＩ報告を送ってもよく、クリーンではないＣＱＩを決定するために使用するサブフレームのセットは、ｋmin≦ｋ≦ｋmaxに対して、サブフレームｎ−ｋを含んでもよいが、任意のＵサブフレームおよび任意のＮサブフレームを除く。
【００４５】
第４の設計では、クリーンではないＣＱＩは、ＮおよびＵサブフレーム中での干渉を別々に推定し、ＵＥにより観測される総干渉を推定することにより、決定されてもよい。Ｕサブフレームは、（ことによるとＣＲＳを除く）支配的な干渉ｅＮＢからの干渉を含まないかもしれないが、他のｅＮＢからの干渉を含むかもしれない。Ｎサブフレームは、これらのサブフレームを割り振られている干渉ｅＮＢからの干渉を含むかもしれないが、他のｅＮＢからの干渉は含まないかもしれない。例えば、サブフレームは、異なる電力クラスのｅＮＢに割り振られるかもしれず、Ｕサブフレームは、マクロｅＮＢに割り振られるかもしれず、Ｎサブフレームは、ピコおよび／またはホームｅＮＢに割り振られるかもしれない。ＵＥは、マクロｅＮＢと通信してもよく、Ｕサブフレーム中で、同一の電力クラスにおける他のマクロｅＮＢからの干渉を観測してもよい。ＵＥは、Ｎサブフレーム中で、ピコおよびホームｅＮＢからの干渉を観測してもよい。
【００４６】
したがって、ＵＥは、異なるサブフレーム中の異なる干渉ｅＮＢからの干渉を観測してもよいが、ＵサブフレームおよびＮサブフレームのどちらも、ＵＥにより観測された総干渉を捕捉できない。ｅＮＢは、ＵＥにより観測される総（最悪ケースの）干渉を知ることを望んでもよい。このケースでは、ＵＥは、ＮサブフレームおよびＵサブフレーム中の干渉を別々に推定してもよい。ＵＥは、その後、適切な組み合わせ関数に基づいて、Ｎサブフレームに対する推定された干渉と、Ｕサブフレームに対する推定された干渉とを組み合わせて、総干渉を取得してもよい。組み合わせ関数は、所定の何らかの干渉ｅＮＢからの干渉の二重カウントを回避すべきである。例えば、干渉ｅＮＢが、ＮサブフレームおよびＵサブフレームの双方中で送信する場合に、この干渉ｅＮＢに対する、Ｎサブフレームか、または、Ｕサブフレームのいずれか（双方のサブフレームではない）からの推定された干渉は、総干渉を計算するために使用できる。
【００４７】
ＵＥは、各干渉ｅＮＢに対する干渉を、そのｅＮＢにより送信されるＣＲＳに基づいて推定してもよい。異なるｅＮＢからのＣＲＳは、それらのセルＩＤ次第で、衝突するかもしれず、または、衝突しないかもしれない。異なるｅＮＢからのＣＲＳが衝突する場合に、ＵＥは、基準信号干渉消去（ＲＳ ＩＣ）を実行してもよい。例えば、ｅＮＢ ＹおよびＺからのＣＲＳが衝突する場合に、ＵＥは、ｅＮＢ ＺからのＣＲＳを測定する前に、ｅＮＢ ＹからのＣＲＳに起因する干渉を推定および消去してもよく、逆もまた同じである。他のｅＮＢからのＣＲＳに起因する干渉を消去することにより、ｅＮＢからのＣＲＳのより正確な測定を取得してもよい。所定のサブフレーム中での、所定のｅＮＢに起因する干渉は、（ことによると、サブフレーム中の他のｅＮＢからのＣＲＳを推定および消去した後に）サブフレーム中のｅＮＢからのＣＲＳの受信電力に基づいて推定されてもよい。
【００４８】
総干渉は、ＵおよびＮサブフレームを含む、異なるタイプのサブフレームに対する推定された干渉に基づいて、決定されてもよい。組み合わせ関数は、Ｕサブフレームに対する推定された干渉と、Ｎサブフレームに対する推定された干渉と、他のサブフレームに対する推定された干渉とに基づいて、総干渉の正確な推定を提供するように設計されていてもよい。ＵＥは、総干渉に基づいて、クリーンではないＣＱＩを決定してもよい。
【００４９】
第５の設計では、クリーンではないＣＱＩは、予め定められている方法で選択された１つ以上の基準サブフレームに対して決定されてもよい。１つの設計では、異なるサブフレームは、異なるオフセットを循環させ、各ＣＱＩ報告期間においてクリーンではないＣＱＩを決定するための１つ以上のサブフレームを選択することにより、選択されてもよい。例えば、ＵＥは、サブフレームｎ中でＣＱＩ報告を送ってもよく、クリーンではないＣＱＩを決定するために、サブフレームｎ−ｍmin−ｋiを使用してもよく、ここで、ｋiは、報告期間ｉに対するサブフレームオフセットを示し、ｍminは、固定遅延（例えば、ｍmin＝４）である。
【００５０】
報告インデックスｉは、０ないしＫ−１にわたり、ここで、Ｋはオフセットの数を示してもよく、任意の値であってもよい。インデックスｉは、アクセス手順が成功した後に、または、上位レイヤからのcqi-pmi-configIndexの更新の後に、または、他の何らかのイベントに基づいて、０に初期化されてもよい。インデックスｉは、例えば、ｉ＝（ｉ＋１）ｍｏｄ Ｋのように、各ＣＱＩ報告の後に１つだけインクリメントされてもよい。
【００５１】
オフセットの数（Ｋ）および／またはＫ個の報告期間０ないしＫ−１に対するＫ個のオフセットｋ0ないしｋK-1は、それぞれ、さまざまな方法で決定されてもよい。１つの設計では、オフセットの数および／またはＫ個のオフセットは、固定値であってもよい。例えば、オフセットの数は、２、４、または、他の何らかの値の固定値に等しくてもよく、Ｋ個のオフセットは、オフセット０ないしＫ−１を含んでもよい。別の設計では、オフセットの数および／またはＫ個のオフセットは、リソースパーティショニングに依存していてもよい。例えば、オフセットの数は、インターレースの数に等しくてもよく（すなわち、Ｋ＝Ｑ）、Ｑ個のオフセットは、０ないしＱ−１を含んでもよい。また別の設計では、オフセットの数（Ｋ）および／またはＫ個のオフセットｋ0ないしｋK-1は、ｅＮＢにより構成されて、ＵＥにシグナリングされてもよい。
【００５２】
第５の設計に対して、サブフレームｎ中で報告されるクリーンではないＣＱＩは、上述したように、単一のサブフレームｎ−ｍmin−ｋiに基づいて決定されてもよい。クリーンではないＣＱＩはまた、複数のサブフレーム、例えば、サブフレームｎ−ｍmin−ｋiないしｎ−ｍmin−ｋi−Ｓ＋１に基づいて決定されてもよく、ここで、Ｓは、クリーンではないＣＱＩに対して平均をとるサブフレームの数である。双方のケースに対して、複数のクリーンではないＣＱＩは、異なるオフセットを循環させて、クリーンではないＣＱＩを決定するための異なるサブフレームを選択することにより、効率的に決定され、報告されてもよい。
【００５３】
クリーンではないＣＱＩを決定するために使用する１つ以上の基準サブフレームを選択する５つの例示的な設計を上述した。クリーンではないＣＱＩはまた、他の方法で選択されてもよい１つ以上の基準サブフレームに対して決定されてもよい。
【００５４】
ＵＥは、さまざまな方法で、複数のクリーンではないＣＱＩを決定するために使用する基準サブフレームを選択してもよい。第１の設計では、１つのクリーンではないＣＱＩが、１つ以上のＮサブフレームに対して決定されてもよく、別のクリーンではないＣＱＩが、１つ以上のＸサブフレームに対して決定されてもよい。第２の設計では、複数のクリーンではないＣＱＩが、異なるオフセットを持つ複数のサブフレームに対して決定されてもよい。複数のクリーンではないＣＱＩを決定するために使用されるサブフレームはまた、他の方法で選択されてもよい。
【００５５】
ｅＮＢは、クリーンではないＣＱＩを決定するために使用する基準サブフレームを選択してもよく、選択したサブフレームをＵＥにシグナリングしてもよい。１つの設計では、クリーンではないＣＱＩを決定するために使用される１つ以上の基準サブフレームは、クリーンなＣＱＩを決定するために使用する１つ以上のサブフレームに関する固定されたオフセットであってもよい。別の設計では、クリーンではないＣＱＩを決定するために使用する１つ以上の基準サブフレームは、ＣＱＩ報告のためのサブフレームに関する固定されたオフセットであってもよい。例えば、ＵＥは、サブフレームｎ中でＣＱＩ報告を送ってもよく、クリーンではないＣＱＩを決定するために使用される基準サブフレームは、サブフレームｎ−ｋiであってもよく、ここで、ｋiは固定されたオフセットであってもよい。双方の設計に対して、オフセットは、ｅＮＢにより決定されてもよく、例えば、新たなcqi-pmi-configIndex構成、または、適用可能な無線リソース制御（ＲＲＣ）メッセージに対する新たなフィールドを介して、ＵＥにシグナリングされてもよい。ｅＮＢは、（例えば、ときどき）オフセットを変更してもよく、新たなオフセットをＵＥに送ってもよい。ｅＮＢはまた、他の方法で、クリーンではないＣＱＩを決定するために使用される基準サブフレームを選択してもよい。
【００５６】
上述したオフセットベースの設計に対して、オフセットは、ＦＤＤおよびＴＤＤに対して異なる方法で決定されてもよい。（例えば、図２および図５中に示されている）ＦＤＤに対して、ダウンリンクに対して、無線フレームの１０個のサブフレームすべてが利用可能であってもよく、オフセットは、直接的な方法で決定されてもよい。ＴＤＤに対して、ダウンリンクに対して、各無線フレームの１０個のサブフレームのうちのいくつかのみが利用可能であってもよく、オフセットは、ダウンリンクに対して有効なサブフレームを考慮してもよい。例えば、ＴＤＤにおける３のオフセットは、クリーンなＣＱＩまたはクリーンではないＣＱＩを決定するために使用されるサブフレームの前の、ダウンリンクに対して有効な３個のサブフレームを意味してもよい。
【００５７】
クリーンなＣＱＩおよびクリーンではないＣＱＩは、任意の周期性において、決定および報告されてもよい。１つ設計では、クリーンなＣＱＩおよびクリーンではないＣＱＩは、同一の周期性において、例えば、同一のサブフレームまたは異なるサブフレーム中で、決定および報告されてもよい。別の設計では、クリーンなＣＱＩおよびクリーンではないＣＱＩは、異なる周期性において、決定および報告されてもよい。例えば、クリーンなＣＱＩは、クリーンではないＣＱＩよりもより頻繁に決定および報告されてもよい。１つの設計では、クリーンなＣＱＩに対して、Ｑの周期性、または、Ｑの整数倍数を使用してもよい。Ｑの整数倍数ではない何らかの値の周期性は、暗黙的に、クリーンではないＣＱＩに対するさまざまなサブフレームを循環させてもよい。例えば、図５中に示されているように、Ｑ＝８である場合に、９の周期性は、異なる報告期間中ですべてのサブフレームを循環させてもよい。１つの設計では、クリーンなＣＱＩおよびクリーンではないＣＱＩに対する、同一の周期性または異なる周期性は、ｅＮＢにより、ＵＥに対して構成され、ＵＥにシグナリングされてもよい。
【００５８】
１つの設計では、クリーンなＣＱＩおよびクリーンではないＣＱＩの双方に対して、同一のＣＱＩ構成を使用してもよい。別の設計では、クリーンなＣＱＩおよびクリーンではないＣＱＩに対して、異なるＣＱＩ構成を使用してもよい。ＣＱＩ構成は、ＣＱＩを推定および／または報告するためのさまざまなパラメータに関係付けられていてもよい。例えば、ＣＱＩ構成は、ＣＱＩを報告する周期性、ＣＱＩを報告するための特定のサブフレーム、ＣＱＩを推定するために使用される１つ以上のサブフレームを決定するための特定のオフセット等を示してもよい。
【００５９】
ｅＮＢは、ダウンリンク上での、ＵＥへのデータ（例えば、トラフィックデータおよび／または制御データ）の送信に対するセットポイントを維持してもよい。セットポイントは、データの送信に対するターゲットＳＩＮＲに対応してもよい。データの送信に対する性能の所望のレベルを取得するために、（外部ループと呼ばれることがある）電力制御ループに基づいて、セットポイントを調節してもよい。性能のこの所望のレベルは、ターゲットエラーレート、ターゲット消去レート、または、他の何らかのメトリックにより、定量化されてもよい。例えば、セットポイントを、（ｉ）性能がターゲットエラーレートよりも悪い場合に、より高いターゲットＳＩＮＲに増加させてもよく、または、（ｉｉ）性能がターゲットエラーレートよりも良好な場合に、より低いターゲットＳＩＮＲに減少させてもよい。セットポイントおよび推定されたＳＩＮＲを使用して、データの送信に対する送信電力レベルを決定してもよい。例えば、Ｐ１の送信電力レベルが、Ｘデシベル（ｄＢ）の推定ＳＩＮＲを結果として生じ、かつ、セットポイントがＹ ｄＢである場合に、送信電力レベルは、（Ｙ−Ｘ）ｄＢによって、（Ｐ１＋Ｙ−Ｘ）により調節されてもよい。一般的に、より高いセットポイントおよび／またはより低い推定ＳＩＮＲは、より高い送信電力に対応してもよく、逆もまた同じである。送信電力は、送信電力スペクトル密度（ＰＳＤ）により与えられ、単位周波数毎（例えば、副搬送波毎）の送信電力を示してもよい。推定ＳＩＮＲは、ＵＥにより報告された１つ以上のＣＱＩから取得されてもよい。
【００６０】
異なるタイプのサブフレームは、異なるレベルの干渉を観測してもよく、したがって、ｅＮＢからの所定の量の送信電力に対して異なるＳＩＮＲと関係付けられていてもよい。単一のセットポイントは、異なるタイプのすべてのサブフレームに対して使用してもよく、異なるタイプのサブフレームに対して広く変化するＳＩＮＲに基づいて、外部ループにより調節してもよい。しかしながら、外部ループは、ＳＩＮＲにおける大きな変動のために、収束しないかもしれず、または、非常に保守的な値に収束するかもれない。どちらも望ましいものではない。
【００６１】
別の態様では、ｅＮＢは、異なるタイプのサブフレームに対する複数のセットポイントを維持してもよい。１つの設計では、ｅＮＢは、保護されたサブフレーム（例えば、ＵおよびＡＵサブフレーム）に対する第１のセットポイントと、残りのサブフレームに対する第２のセットポイントとを維持してもよい。別の設計では、ｅＮＢは、ＵおよびＡＵサブフレームに対する第１のセットポイントと、ＮおよびＡＮサブフレームに対する第２のセットポイントと、ＡＣサブフレームに対する第３のセットポイントとを維持してもよい。一般的に、ｅＮＢは、任意の数のサブフレームタイプに対する任意の数のセットポイントを維持してもよい。異なるサブフレームタイプは、異なるレベルの干渉に関係付けられていてもよく、したがって、異なるＳＩＮＲに関係付けられていてもよい。
【００６２】
１つの設計では、ｅＮＢは、対象の各ＵＥに対する異なるサブフレームタイプに対しての複数のセットポイントを維持してもよい。別の設計では、ｅＮＢは、ＵＥのグループまたはすべてのＵＥに対する異なるサブフレームタイプに対しての複数のセットポイントを維持してもよい。１つの設計では、ｅＮＢは、各タイプの送信に対する（例えば、各物理チャネルに対する）異なるサブフレームタイプに対しての複数のセットポイントを維持してもよい。別の設計では、ｅＮＢは、すべてのタイプの送信に対する（例えば、すべての物理チャネルに対する）異なるサブフレームタイプに対しての複数のセットポイントを維持してもよい。さらに別の設計では、ｅＮＢは、各ＵＥへの、各タイプの送信に対する（例えば、各物理チャネルに対する）異なるサブフレームタイプに対して複数のセットポイントを維持してもよい。ｅＮＢは、他の方法で、異なるサブフレームタイプに対する複数のセットポイントを維持してもよい。
【００６３】
ｅＮＢは、さまざまな方法で、異なるサブフレームタイプに対する複数のセットポイントを決定してもよい。１つの設計では、ｅＮＢは、上述したように、性能のターゲットレベルと、サブフレームタイプに対して測定された性能とに基づいて、サブフレームタイプに対するセットポイントを設定してもよい。ＨＡＲＱによるデータ送信に対して、ｅＮＢは、より長いＨＡＲＱターゲット終了に対して、より低いセットポイントを使用してもよく、逆もまた同じである。別の設計では、ｅＮＢは、そのタイプのサブフレーム中で推定された干渉に基づいて、サブフレームタイプに対するセットポイントを設定してもよい。例えば、ｅＮＢは、より高い推定された干渉に対して、より低いセットポイントを使用してもよく、逆もまた同じである。
【００６４】
１つの設定では、ｅＮＢは、各サブフレームタイプに対するセットポイントを独立的に決定してもよい。別の設計では、ｅＮＢは、第１のサブフレームタイプに対する第１のセットポイントを決定してもよく、第１のセットポイントとオフセットとに基づいて、第２のサブフレームタイプに対する第２のセットポイントを決定してもよい。このオフセットは、固定値、または、調節可能な値であってもよく、このオフセットは、測定された干渉または測定された性能に基づいて、変化してもよい。ｅＮＢは、１つ以上の追加のオフセットに基づいて、１つ以上の他のサブフレームタイプに対する１つ以上の追加のセットポイントを決定してもよい。
【００６５】
ｅＮＢは、サブフレームに対してＵＥに適用可能なセットポイントに基づいて、そのサブフレーム中で、制御データおよび／またはトラフィックデータをＵＥに送信してもよい。セットポイントを使用して、サブフレーム中での、ＵＥへのデータの送信に対して使用する送信電力レベルを決定してもよい。
【００６６】
ｅＮＢは、物理制御フォーマットインジケータチャネル（ＰＣＦＩＣＨ）と、物理ＨＡＲＱインジケータチャネル（ＰＨＩＣＨ）と、物理ダウンリンク制御チャネル（ＰＤＣＣＨ）とを、サブフレームの制御領域中で送信してもよい。ＰＣＦＩＣＨは、サブフレームの第１のシンボル期間中で送信されてもよく、制御領域のサイズを伝えてもよい。ＰＨＩＣＨは、ＨＡＲＱにより、アップリンク上でＵＥによって送られたデータ送信に対するＡＣＫおよびＮＡＣＫを搬送してもよい。ＰＤＣＣＨは、ダウンリンク許可、アップリンク許可、電力制御情報等に対する、制御データ／情報を搬送してもよい。ＰＤＣＣＨは、１個、２個、４個または８個の制御エレメント（ＣＣＥ）中で送信されてもよく、各ＣＣＥは３６個のリソースエレメントを含む。ｅＮＢは、サブフレームのデータ領域中でＰＤＳＣＨを送信してもよい。ＰＤＳＣＨは、ダウンリンク上で、トラフィックデータの送信に対してスケジュールされたＵＥに対して、データを搬送してもよい。
【００６７】
ｅＮＢは、サブフレーム中で、制御データをＰＤＣＣＨ上でＵＥに送ってもよい。１つの設計では、ｅＮＢは、ＵＥに対する異なるサブフレームタイプに対する複数のセットポイント（すなわち、ターゲットＰＤＣＣＨ ＳＩＮＲ）をＰＤＣＣＨに対して維持してもよい。ｅＮＢは、ＰＤＣＣＨが送られるサブフレームに対するセットポイントに基づいて、ＰＤＣＣＨの送信電力を設定してもよい。例えば、ｅＮＢは、（ｉ）より高いセットポイントに対するＰＤＣＣＨに対して、より高い送信電力を使用してもよく、または、（ｉｉ）より低いセットポイントに対するＰＤＣＣＨに対して、より低い送信電力を使用してもよい。ｅＮＢはまた、サブフレームに対して、ＵＥから受信したＣＱＩに基づいて、ＰＤＣＣＨの送信電力を設定してもよい。例えば、ｅＮＢは、（ｉ）乏しいチャネル品質を示すより低いＣＱＩ値に対するＰＤＣＣＨに対して、より高い送信電力を使用してもよく、または、（ｉｉ）良好なチャネル品質を示すより高いＣＱＩ値に対するＰＤＣＣＨに対して、より低い送信電力を使用してもよい。ｅＮＢはまた、他のファクタに基づいて、ＰＤＣＣＨの送信電力を設定してもよい。代替的に、ｅＮＢは、ＰＤＣＣＨに対して固定の送信電力レベルを使用してもよいが、ＰＤＣＣＨ上での制御データの送信に対して使用するＣＣＥの数を変化させるかもしれない。例えば、ｅＮＢは、（ｉ）より高いセットポイントおよび／またはより低いＣＱＩ値に対して、より多いＣＣＥを使用して、あるいは、（ｉｉ）より低いセットポイントおよび／またはより高いＣＱＩ値に対して、より少ないＣＣＥを使用して、ＰＤＣＣＨを送信してもよい。
【００６８】
ｅＮＢは、ＰＨＩＣＨ上で、サブフレーム中で、ＡＣＫ／ＮＡＣＫをＵＥに送ってもよい。１つの設計では、ｅＮＢは、ＵＥに対する異なるサブフレームタイプに対する複数のセットポイント（すなわち、ターゲットＰＨＩＣＨ ＳＩＮＲ）をＰＨＩＣＨに対して維持してもよい。ｅＮＢは、ターゲットＰＨＩＣＨ ＳＩＮＲと、ＰＨＩＣＨが送られるサブフレームに対して、ＵＥから受信したＣＱＩとに基づいて、ＰＨＩＣＨの送信電力を設定してもよい。
【００６９】
ｅＮＢは、ＰＤＳＣＨ上で、サブフレーム中で、送信データをＵＥに送ってもよい。１つの設計では、ｅＮＢは、ＵＥに対する異なるサブフレームタイプに対する複数のセットポイント（すなわち、ターゲットＰＤＳＣＨ ＳＩＮＲ）をＰＤＳＣＨに対して維持してもよい。ｅＮＢは、ターゲットＰＤＳＣＨ ＳＩＮＲと、ＰＤＳＣＨが送られるサブフレームに対して、ＵＥから受信したＣＱＩとに基づいて、ＰＤＳＣＨの送信電力を設定してもよい。ｅＮＢは、ＰＤＳＣＨ上で送られるトラフィックデータに対する性能のターゲットレベルにさらに基づいて、ＰＤＳＣＨの送信電力を設定してもよい。例えば、ＰＤＳＣＨの送信電力を、パケットの送信のターゲット数に基づいて、１％（または、他の何らかの値）のターゲットパケットエラーレート（ＰＥＲ）を満たすように設定してもよい。ｅＮＢは、ＨＡＲＱターゲット終了にさらに基づいて、ＰＤＳＣＨの送信電力を設定してもよい。例えば、ＰＤＳＣＨの送信電力を、パケットの第１の送信に基づいて、ターゲットＰＥＲを満たすように設定してもよい。１つ設計では、次第に高くなるＨＡＲＱターゲット終了に対して、次第に低くなるセットポイントを選択してもよい。所望のＨＡＲＱターゲット終了を取得するために、ＰＤＳＣＨの送信電力を調節することは、例えば、ボイスオーバーインターネットプロトコル（ＶｏＩＰ）のような、特定のトラフィックタイプに対して有用であるかもしれない。
【００７０】
異なるサブフレームタイプに対する複数のセットポイントの使用は、特定の利益を提供してもよい。例えば、上述したような、ＩＣＩＣに対するＴＤＭリソースパーティショニングを利用するワイヤレスネットワークにおいて、ダウンリンク上の干渉は、サブフレームにわたって、著しく変化するかもしれない。複数のセットポイントの使用により、ｅＮＢが、異なるサブフレーム中の適切な送信電力レベルを適用して、異なる干渉シナリオの下で、セル内の所望のカバレッジを達成できるようになってもよい。
【００７１】
図６は、クリーンなＣＱＩを決定するプロセス６００の設計を示している。プロセス６００は、（以下に記述するような）ＵＥにより、または、他の何らかのエンティティにより実行されてもよい。ＵＥは、基地局に割り振られているリソースを伝えるシグナリングを受信してもよい（ブロック６１２）。ＵＥは、例えば、受信したシグナリングに基づいて、基地局に割り振られており、少なくとも１つの干渉する基地局からの低減された干渉または無干渉を有する少なくとも１つのリソースを決定してもよい（ブロック６１４）。少なくとも１つのリソースは、少なくとも１つのサブフレーム、または、少なくとも１つのサブバンド、または、少なくとも１つのリソースブロック、または、基地局に割り振られている他の何らかのタイプのリソースに対応していてもよい。少なくとも１つのリソースは、基地局と少なくとも１つの干渉基地局とに対するリソースパーティショニングを介して、基地局に半静的に割り振られていてもよい。ＵＥは、少なくとも１つのリソースに基づいてＣＱＩを決定してもよい（ブロック６１６）。ＵＥは、少なくとも１つの干渉基地局に割り振られているリソースを除くことにより、ＣＱＩを決定してもよい。ＵＥは、ＣＱＩを基地局に送ってもよい（ブロック６１８）。ＵＥは、その後、ＣＱＩに基づいて基地局により送られたデータ（例えば、トラフィックデータおよび／または制御データ）の送信を受信してもよい（ブロック６２０）。
【００７２】
図７は、クリーンなＣＱＩを受信するプロセス７００の設計を示している。プロセス７００は、（以下に記述するような）基地局／ｅＮＢにより、または、他の何らかのエンティティにより実行されてもよい。基地局は、基地局に割り振られているリソースを伝えるシグナリングを送ってもよい（ブロック７１２）。基地局は、基地局に割り振られており、少なくとも１つの干渉する基地局からの低減された干渉または無干渉を有する少なくとも１つのリソースに基づいてＵＥにより決定されたＣＱＩを受信してもよい（ブロック７１４）。基地局は、ＣＱＩに基づいて、ＵＥにデータの送信を送ってもよい（ブロック７１６）。
【００７３】
図８は、異なるリソースに対する複数のＣＱＩを決定するプロセス８００の設計を示している。プロセス８００は、（以下に記述するような）ＵＥにより、または、他の何らかのエンティティにより実行されてもよい。ＵＥは、リソースパーティショニング情報を基地局から受信してもよい（ブロック８１２）。リソースパーティショニング情報は、基地局に半静的に割り振られているサブフレーム（例えば、Ｕサブフレーム）と、少なくとも１つの干渉基地局に半静的に割り振られているサブフレーム（例えば、Ｎサブフレーム）とを伝えてもよい。ＵＥは、リソースパーティショニング情報に基づいて、基地局に割り振られている少なくとも１つの第１のサブフレームと、少なくとも１つの干渉する基地局に割り振られている少なくとも１つの第２のサブフレームとを決定してもよい（ブロック８１４）。
【００７４】
ＵＥは、基地局に割り振られており、少なくとも１つの干渉基地局からの低減された干渉または無干渉を有する少なくとも１つの第１のサブフレームに基づいて、第１のＣＱＩを決定してもよい（ブロック８１６）。ＵＥは、少なくとも１つの干渉基地局に割り振られている少なくとも１つの第２のサブフレームに基づいて、第２のＣＱＩを決定してもよい（ブロック８１８）。ＵＥは、第１のＣＱＩおよび第２のＣＱＩを基地局に送ってもよい（ブロック８２０）。ＵＥは、その後、第１のＣＱＩおよび／または第２のＣＱＩに基づいて基地局により送られたデータの送信を受信してもよい（ブロック８２２）。
【００７５】
ＵＥは、さまざまな方法で、第２のＣＱＩを決定してもよい。第１の設計では、ＵＥは、基地局に半静的に割り振られている何らかのサブフレーム基づいてではなく、少なくとも１つの干渉基地局に割り振られている少なくとも１つの第２のサブフレームのみ（例えば、Ｎサブフレームのみ）に基づいて、第２のＣＱＩを決定してもよい。第２の設計は、ＵＥは、少なくとも１つの第２のサブフレームを含むサブフレームのセットにわたって平均をとることにより、第２のＣＱＩを決定してもよい。１つの設計では、サブフレームのセットは、基地局に半静的に割り振られているサブフレーム（例えば、Ｕサブフレーム）を除いてもよい。別の設計では、サブフレームのセットは、基地局に半静的に割り振られているサブフレーム（例えば、Ｕサブフレーム）と、少なくとも１つの干渉基地局に半静的に割り振られているサブフレーム（例えば、Ｎサブフレーム）とを除いてもよい。サブフレームのセット中のサブフレームの数は、固定の値であってもよく、または、基地局により構成されてＵＥにシグナリングされてもよく、または、基地局と少なくとも１つの干渉基地局とに対するリソースパーティショニングに基づいて決定されてもよく、または、他の方法で把握されてもよい。
【００７６】
第３の設計では、ＵＥは、少なくとも１つの第１のサブフレームおよび少なくとも１つの第２のサブフレーム中の総干渉に基づいて、第２のＣＱＩを決定してもよい。ＵＥは、基地局に割り振られている少なくとも１つの第１のサブフレーム（例えば、Ｕサブフレーム）における干渉を推定してもよい。ＵＥはまた、少なくとも１つの干渉基地局に割り振られている少なくとも１つの第２のサブフレーム（例えば、Ｎサブフレーム）における干渉を推定してもよい。ＵＥは、少なくとも１つの第１のサブフレームにおける推定した干渉と、少なくとも１つの第２のサブフレームにおける推定した干渉とに基づいて、総干渉を推定してもよい。ＵＥは、その後、推定した総干渉に基づいて、第２のＣＱＩを決定してもよい。
【００７７】
第４の設計では、ＵＥは、第２のＣＱＩが報告されるサブフレーム（または、第１のＣＱＩを決定するために使用されるサブフレーム）に関するオフセットに基づいて、少なくとも１つの第２のサブフレームを決定してもよい。１つの設計では、ＵＥは、基地局からオフセットを伝えるシグナリングを受信してもよい。別の設計では、ＵＥは、オフセットのセットを循環させ、異なる期間中で、第２のＣＱＩを決定するための異なるサブフレームを選択することにより、オフセットを決定してもよい。ＵＥは、オフセットのセット、および／または、オフセットの数を伝えるシグナリングを基地局から受信してもよい。
【００７８】
ＵＥはまた、他の方法で決定された少なくとも１つのサブフレームに基づいて、第２のＣＱＩを決定してもよい。ＵＥはまた、少なくとも１つの追加のサブフレームに基づいて、少なくとも１つの追加のＣＱＩを決定してもよい。
【００７９】
ＵＥは、さまざまな方法で、第１および第２のＣＱＩを報告してもよい。１つの設計では、ＵＥは、同一の周期性において、例えば、同一のサブフレームまたは異なるサブフレーム中で、第１および第２のＣＱＩを報告してもよい。別の設計では、ＵＥは、第１の周期性で第１のＣＱＩを報告してもよく、第１の周期性とは異なる（例えば、第１の周期性よりも頻繁ではない）第２の周期性で第２のＣＱＩを報告してもよい。１つの設計では、ＵＥは、第１のＣＱＩ構成に基づいて第１のＣＱＩを報告してもよく、第１のＣＱＩ構成とは異なる第２のＣＱＩ構成に基づいて第２のＣＱＩを報告してもよい。各ＣＱＩ構成は、ＣＱＩの報告の周期性、ＣＱＩをいずれのサブフレームで送るか等のような、ＣＱＩの報告に対するさまざまなパラメータに関係付けられていてもよい。
【００８０】
図９は、異なるリソースに対する複数のＣＱＩを受信するプロセス９００の設計を示している。プロセス９００は、（以下に記述するような）基地局／ｅＮＢにより、または、他の何らかのエンティティにより実行されてもよい。基地局は、基地局に割り振られているサブフレームと、少なくとも１つの干渉基地局に割り振られているサブフレームとを伝えるリソースパーティショニング情報を送って（例えば、ブロードキャストして）もよい（ブロック９１２）。基地局は、第１のＣＱＩおよび第２のＣＱＩをＵＥから受信してもよい（ブロック９１４）。第１のＣＱＩは、基地局に割り振られており、少なくとも１つの干渉基地局からの低減された干渉または無干渉を有する少なくとも１つの第１のサブフレームに基づいて、決定されてもよい。第２のＣＱＩは、少なくとも１つの干渉基地局に割り振られている少なくとも１つの第２のサブフレームに基づいて、決定されてもよい。第２のＣＱＩは、例えば、上述したような、さまざまな方法で、ＵＥにより決定されてもよい。基地局は、第１のＣＱＩおよび／または第２のＣＱＩに基づいて、ＵＥにデータの送信を送ってもよい（ブロック９１６）。
【００８１】
図１０は、データを送信するプロセス１０００の設計を示している。プロセス１０００は、（以下に記述するような）基地局／ｅＮＢにより、または、他の何らかのエンティティにより実行されてもよい。基地局は、異なるレベルの干渉に関係付けられている複数のサブフレームタイプに対する複数のセットポイントを維持してもよい（ブロック１０１２）。基地局は、データをＵＥに送信するためのサブフレームに基づいて、複数のセットポイントの中からセットポイントを選択してもよい（ブロック１０１４）。基地局は、サブフレームに対して適用可能なＣＱＩをＵＥから受信してもよい（ブロック１０１６）。基地局は、選択したセットポイントに基づいて、および、ことによると、ＣＱＩにさらに基づいて、サブフレーム中でＵＥにデータを送信してもよい（１０１８）。基地局は、ＰＤＣＣＨ、ＰＨＩＣＨ、ＰＤＳＣＨ、または、他の何らかの物理チャネル上でデータを送信してもよい。
【００８２】
ブロック１０１２の１つの設計では、基地局は、そのサブフレームタイプのサブフレームに対する推定した干渉、性能のターゲットレベル、ターゲットエラーレート、ＨＡＲＱターゲット終了、他の何らかのメトリック、または、これらの組み合わせのような、１つ以上のメトリックに基づいて、各サブフレームタイプに対するセットポイントを決定してもよい。
【００８３】
１つの設計では、基地局は、ＵＥに対して、複数のサブフレームタイプに対する複数のセットポイントを維持してもよい。基地局は、複数のＵＥに対して、セットポイントの複数のセットを維持し、各ＵＥに対して、セットポイントの１つのセットを維持してもよい。別の設計では、基地局は、特定の物理チャネルに対して、複数のサブフレームタイプに対する複数のセットポイントを維持してもよい。基地局は、複数の物理チャネルに対して、セットポイントの複数のセットを維持し、各物理チャネルに対して、セットポイントの１つのセットを維持してもよい。また別の設計では、基地局は、ＵＥのための特定の物理チャネルに対して、複数のサブフレームタイプに対する複数のセットポイントを維持してもよい。基地局はまた、他の方法で、複数のサブフレームタイプに対する複数のセットポイントを維持してもよい。
【００８４】
１つの設計では、基地局は、選択したセットポイントとＣＱＩとに基づいて、送信電力レベルを決定してもよい。基地局は、決定した送信電力レベルに基づいて、ＵＥにデータを送信してもよい。別の設計では、基地局は、選択したセットポイントとＣＱＩとに基づいて、ＵＥにデータを送信するために使用するリソースの量（例えば、ＣＣＥまたはリソースブロックの数）を決定してもよい。基地局は、決定したリソースの量に基づいて、ＵＥにデータを送信してもよい。基地局はまた、セットポイントとＣＱＩとに基づいて、データ送信のための他のパラメータを決定してもよい。
【００８５】
図１１は、図１中の基地局／ｅＮＢの１つおよびＵＥの１つであってもよい、基地局／ｅＮＢ１１０ｘおよびＵＥ１２０ｘの設計のブロックダイヤグラムを示している。ＵＥ１２０ｘ内では、受信機１１１０は、基地局１１０ｘおよび他の基地局からのダウンリンク信号を受信して処理してもよい。モジュール１１１２は、受信したデータ送信を処理（例えば、復調およびデコード）してもよい。モジュール１１１４は、異なるタイプのサブフレーム中の干渉を推定してもよい。モジュール１１１６は、上述したような、異なるタイプのサブフレームに対して推定した干渉に基づいて、クリーンなＣＱＩおよびクリーンではないＣＱＩを決定してもよい。モジュール１１１８は、ＵＥ１２０ｘに対して構成されたＣＱＩ報告を発生させて送ってもよい。モジュール１１２２は、基地局１１０ｘに割り振られているサブフレームを示すシグナリング（例えば、ＳＲＰＩ）を受信してもよく、異なるタイプのサブフレームを決定してもよい。ＵＥ１２０ｘ内のさまざまなモジュールは、上述したように動作してもよい。制御装置／プロセッサ１１２４は、ＵＥ１２０ｘ内のさまざまなモジュールの動作を指示してもよい。メモリ１１２６は、ＵＥ１２０ｘに対する、データおよびプログラムコードを記憶してもよい。
【００８６】
基地局１１０ｘ内では、モジュール１１５２は、ＵＥ１２０ｘおよび／または他のＵＥに対するデータ送信を発生させてもよい。モジュール１１５４は、各データ送信に対して適用可能なセットポイントに基づいて、そのデータ送信に対して使用する送信電力レベルを決定してもよい。送信機１１５４は、データ送信を含むダウンリンク信号を発生させてもよく、ＵＥ１２０ｘおよび他のＵＥにダウンリンク信号を送信してもよい。受信機１１５６は、ＵＥ１２０ｘおよび他のＵＥにより送信されたアップリンク信号を受信して処理してもよい。モジュール１１５８は、受信信号を処理して、ＵＥ１２０ｘにより送られたＣＱＩ報告を復元してもよい。モジュール１１６０は、ＵＥ１２０ｘにより送られたＣＱＩ報告から、クリーンなＣＱＩおよびクリーンではないＣＱＩを取得して、適用可能なＣＱＩおよび／または他の情報に基づいて、ＵＥ１２０ｘへの各データ送信に対する変調およびコーディングスキームを選択してもよい。モジュール１１６２は、基地局１１０ｘに割り振られているサブフレームを決定してもよく、基地局１１０ｘのための異なるタイプのサブフレームを示すリソースパーティショニング情報（例えば、ＳＲＰＩ）を発生させてもよい。基地局１１０ｘ内のさまざまなモジュールは、上述したように動作してもよい。制御装置／プロセッサ１１６４は、基地局１１０ｘ内のさまざまなモジュールの動作を指示してもよい。メモリ１１６６は、基地局１１０ｘに対する、データおよびプログラムコードを記憶してもよい。スケジューラ１１６８は、データ送信に対してＵＥをスケジュールしてもよい。
【００８７】
図１１中のモジュールは、プロセッサ、電子デバイス、ハードウェアデバイス、電子コンポーネント、論理回路、メモリ、ソフトウェアコード、ファームウェアコード等、または、それらの任意の組み合わせを含んでもよい。
【００８８】
図１２は、図１中の基地局／ｅＮＢの１つおよびＵＥの１つであってもよい、基地局／ｅＮＢ１１０ｙおよびＵＥ１２０ｙの設計のブロックダイヤグラムを示している。基地局１１０ｙは、Ｔ本のアンテナ１２３４ａないし１２３４ｔを備えていてもよく、ＵＥ１２０ｙは、Ｒ本のアンテナ１２５２ａないし１２５２ｒを備えていてもよく、ここで、一般的に、Ｔ≧１およびＲ≧１である。
【００８９】
基地局１１０ｙにおいて、送信プロセッサ１２２０は、１つ以上のＵＥに対するデータソース１２１２からトラフィックデータを受け取り、そのＵＥから受け取ったＣＱＩに基づいて、各ＵＥに対する１つ以上の変調およびコーディングスキーム（ＭＣＳ）を選択し、ＵＥに対して選択したＭＣＳに基づいて、各ＵＥに対するトラフィックデータを処理（例えば、エンコードおよび変調）し、すべてのＵＥに対してデータシンボルを提供してもよい。送信プロセッサ１２２０はまた、システム情報（例えば、ＳＲＰＩ等）と（例えば、オフセット、許可、上位レイヤのシグナリング等に対する）制御データ／情報を処理し、オーバーヘッドシンボルおよび制御シンボルを提供してもよい。プロセッサ１２２０はまた、基準信号（例えば、ＣＲＳ）および同期信号（例えば、ＰＳＳおよびＳＳＳ）に対する基準シンボルを発生させてもよい。送信（ＴＸ）複数入力複数出力（ＭＩＭＯ）プロセッサ１２３０は、適用可能な場合に、データシンボル、制御シンボル、オーバーヘッドシンボル、および／または、基準シンボル上で空間処理（例えば、プリコーディング）を実行してもよく、Ｔ個の変調器（ＭＯＤ）１２３２ａないし１２３２ｔにＴ個の出力シンボルストリームを提供してもよい。各変調器１２３２は、（例えば、ＯＦＤＭ等のために）それぞれの出力シンボルストリームを処理し、出力サンプルストリームを取得してもよい。各変調器１２３２は、さらに、出力サンプルストリームを処理（例えば、アナログにコンバート、増幅、フィルタリング、およびアップコンバート）して、ダウンリンク信号を取得してもよい。変調器１２３２ａないし１２３２ｔからのＴ個のダウンリンク信号は、それぞれ、Ｔ本のアンテナ１２３４ａないし１２３４ｔを介して送信されてもよい。
【００９０】
ＵＥ１２０ｙにおいて、アンテナ１２５２ａないし１２５２ｒは、基地局１１０ｙおよび／または他の基地局からダウンリンク信号を受信してもよく、受信信号を復調器（ＤＥＭＯＤ）１２５４ａないし１２５４ｒにそれぞれ提供してもよい。各復調器１２５４は、この受信信号を調整（例えば、フィルタリング、増幅、ダウンコンバートおよびデジタル化）して、入力サンプルを取得してもよい。各復調器１２５４は、（例えば、ＯＦＤＭ等のために）入力サンプルをさらに処理して、受信シンボルを取得してもよい。ＭＩＭＯ検出器１２５６は、すべてのＲ個の復調器１２５４ａないし１２５４ｒから受信シンボルを取得し、適用可能な場合に、受信シンボル上でＭＩＭＯ検出を実行して、検出したシンボルを提供してもよい。受信プロセッサ１２５８は、検出シンボルを処理（例えば、復調およびデコード）し、ＵＥ１２０ｙに対するデコードしたデータをデータシンク１２６０に提供して、デコードした制御データおよびシステム情報を制御装置／プロセッサ１２８０に提供してもよい。チャネルプロセッサ１２８４は、上述したように、異なるタイプのサブフレーム中の干渉を推定し、推定した干渉に基づいて、クリーンなＣＱＩおよびクリーンではないＣＱＩを決定してもよい。
【００９１】
アップリンク上で、ＵＥ１２０ｙにおいて、送信プロセッサ１２６４は、データソース１２６２からのトラフィックデータと、制御装置／プロセッサ１２８０からの制御データ（例えば、ＣＱＩ報告）とを受け取って処理してもよい。プロセッサ１２６４はまた、１つ以上の基準信号に対する基準シンボルを発生させてもよい。送信プロセッサ１２６４からのシンボルは、適用可能な場合に、ＴＸ ＭＩＭＯプロセッサ１２６６によりプリコーディングされてもよく、（例えば、ＳＣ−ＦＤＭ、ＯＦＤＭ等のために）変調器１２５４ａないし１２５４ｒによりさらに処理されて、基地局１１０ｙに送信されてもよい。基地局１１０ｙにおいて、ＵＥ１２０ｙおよび他のＵＥからのアップリンク信号は、アンテナ１２３４により受信され、復調器１２３２により処理され、適用可能な場合に、ＭＩＭＯ検出器１２３６により検出されて、受信プロセッサ１２３８によりさらに処理されて、ＵＥ１２０ｙにより送られ、デコードされた、トラフィックデータおよび制御データを取得してもよい。プロセッサ１２３８は、デコードされたトラフィックデータをデータシンク１２３９に提供し、デコードされた制御データを制御装置／プロセッサ１２４０に提供してもよい。
【００９２】
制御装置／プロセッサ１２４０および１２８０は、それぞれ、基地局１１０ｙおよびＵＥ１２０ｙにおける動作を指示してもよい。ＵＥ１２０ｙにおける、プロセッサ１２８０および／または他のプロセッサならびにモジュールは、図６中のプロセス６００、図８中のプロセス８００、および／または、ここに記述した技術に対する他のプロセスを実行または指示してもよい。基地局１１０ｙにおける、プロセッサ１２４０および／または他のプロセッサならびにモジュールは、図７中のプロセス７００、図９中のプロセス９００、図１０中のプロセス１０００、および／または、ここで記述した技術に対する他のプロセスを実行あるいは指示してもよい。メモリ１２４２および１２８２は、基地局１１０ｙおよびＵＥ１２０ｙに対するデータとプログラムコードとをそれぞれ記憶してもよい。スケジューラ１２４４は、ダウンリンクおよび／またはアップリンク上のデータ送信に対してＵＥをスケジュールしてもよい。
【００９３】
当業者は、さまざまな異なる技術および技法のうちの任意のものを使用して、情報および信号を表してもよいことを理解するであろう。例えば、上記の記述全体を通して参照されうるデータ、命令、コマンド、情報、信号、ビット、シンボルおよびチップは、電圧、電流、電磁波、磁界または磁粒、光界または光粒、あるいは、これらの任意の組み合わせにより表してもよい。
【００９４】
ここでの開示に関連して記述した、さまざまな例示的な論理ブロック、モジュール、回路およびアルゴリズムステップを、電子ハードウェア、コンピュータソフトウェア、または、双方を組み合わせとして実現してもよいことを、当業者はさらに正しく認識するであろう。ハードウェアおよびソフトウェアのこの交換可能性を明確に示すために、さまざまな例示的なコンポーネント、ブロック、モジュール、回路、およびステップを、概してこれらの機能性に関して上述した。このような機能性がハードウェアまたはソフトウェアとして実現されるか否かは、システム全体に課せられた、特定の応用、および、設計の制約に依存する。熟練者は、それぞれの特定の応用に対して変化する方法で、記述した機能性を実現してもよいが、そのような実現の決定は、本開示の範囲からの逸脱を生じさせるものとして解釈すべきではない。
【００９５】
ここでの開示に関連して説明した、さまざまな例示的な論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）または他のプログラマブル論理デバイス、ディスクリートゲートまたはトランジスタ論理、ディスクリートハードウェアコンポーネント、あるいは、ここで記述した機能を実行するように設計されているこれらの任意の組み合わせで、実現または実行してもよい。汎用プロセッサはマイクロプロセッサであってもよいが、代替実施形態では、プロセッサは、何らかの従来のプロセッサ、制御装置、マイクロ制御装置、または、状態機械であってもよい。プロセッサはまた、例えば、ＤＳＰとマイクロプロセッサとの組み合わせ、複数のマイクロプロセッサ、ＤＳＰコアを伴う１つ以上のマイクロプロセッサ、または、他の何らかのこのような構成のような、コンピューティングデバイスの組み合わせとして、実現されてもよい。
【００９６】
ここでの開示に関連して記述した方法またはアルゴリズムのステップは、ハードウェアで、プロセッサにより実行されるソフトウェアモジュールで、あるいは、２つのものを組み合わせたもので直接的に具現化してもよい。ソフトウェアモジュールは、ＲＡＭメモリ、フラシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、または、技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合されていてもよい。代替実施形態では、記憶媒体は、プロセッサに一体化していてもよい。プロセッサおよび記憶媒体は、ＡＳＩＣに存在していてもよい。ＡＳＩＣは、ユーザ端末に存在していてもよい。代替実施形態では、プロセッサおよび記憶媒体は、ディスクリートコンポーネントとしてユーザ端末に存在していてもよい。
【００９７】
１つ以上の例示的な設計において、記述した機能を、ハードウェアで、ソフトウェアで、ファームウェアで、または、これらの任意の組み合わせで実現してもよい。ソフトウェアで実現した場合、機能は、１つ以上の命令またはコードとして、コンピュータ読取可能媒体上に記憶してもよく、あるいは、コンピュータ読取可能媒体を通して送信してもよい。コンピュータ読取可能媒体は、１つの場所から別の場所へのコンピュータプログラムの転送を促進する何らかの媒体を含む、コンピュータ記憶媒体および通信媒体の双方を含む。記憶媒体は、汎用コンピュータまたは特別用途コンピュータによりアクセスできる何らかの利用可能な媒体であってもよい。例として、これらには限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、汎用コンピュータまたは特別用途コンピュータ、ならびに、汎用プロセッサまたは特別用途プロセッサによりアクセスでき、命令またはデータ構造の形態で所望のプログラムコード手段を伝送または記憶するために使用できる他の何らかの媒体を含んでいてもよい。また任意の接続は、適切にコンピュータ読取可能媒体と呼ばれる。例えば、同軸ケーブル、光ファイバケーブル、ツイストペア、デジタル加入者線（ＤＳＬ）、あるいは、赤外線、無線、および、マイクロ波のようなワイヤレス技術を使用しているウェブサイト、サーバ、または、他の遠隔ソースから、ソフトウェアが送信される場合には、同軸ケーブル、光ファイバケーブル、ツイストペア、ＤＳＬ、あるいは、赤外線、無線、および、マイクロ波のようなワイヤレス技術は、媒体の定義に含まれる。ここで使用するようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含んでいる。ここで、ディスク（ｄｉｓｋ）が通常、データを磁気的に再生する一方で、ディスク（ｄｉｓｃ）はデータをレーザによって光学的に再生する。上記のものの組み合わせも、コンピュータ読取可能媒体の範囲内に含められるべきである。
【００９８】
本開示のこれまでの記述は、当業者が本開示を製作または使用できるように提供した。
【００９９】
本開示に対するさまざま改良は当業者に容易に明らかとなり、ここに規定した一般的な原理は、本開示の精神または範囲から逸脱することなく、他のバリエーションに適用されてもよい。したがって、本開示は、ここで記述した例および設計に限定されることを意図しているものではなく、ここで開示した原理および新しい特徴と一致した最も広い範囲に一致させるべきである。
【図１】
2014212543.tif 000005
【図２】
2014212543.tif 000006
【図３】
2014212543.tif 000007
【図４】
2014212543.tif 000008
【図５】
2014212543.tif 000009
【図６】
2014212543.tif 000010
【図７】
2014212543.tif 000011
【図８】
2014212543.tif 000012
【図９】
2014212543.tif 000013
【図１０】
2014212543.tif 000014
【図１１】
2014212543.tif 000015
【図１２】
2014212543.tif 000016
【手続補正書】
【提出日】平成26年7月16日(2014.7.16)
【手続補正１】
【補正対象書類名】特許請求の範囲
【補正対象項目名】全文
【補正方法】変更
【補正の内容】
【特許請求の範囲】
【請求項１】
ワイヤレス通信のための方法において、
基地局に割り振られており、少なくとも１つの干渉する基地局からの低減された干渉または無干渉を有する少なくとも１つの第１のサブフレームに基づいて、第１のチャネル品質インジケータ（ＣＱＩ）を決定することと、
前記少なくとも１つの干渉基地局に割り振られている少なくとも１つの第２のサブフレームに基づいて、第２のＣＱＩを決定することと
を含む方法。
【請求項２】
前記第１のＣＱＩおよび前記第２のＣＱＩを前記基地局に送ることと、
前記第１のＣＱＩ、または、前記第２のＣＱＩ、あるいは、双方に基づいて前記基地局により送られたデータの送信を受信することと
をさらに含む請求項１記載の方法。
【請求項３】
前記基地局からリソースパーティショニング情報を受信することと、
前記リソースパーティショニング情報に基づいて、前記基地局に割り振られている少なくとも１つの第１のサブフレームと、前記少なくとも１つの干渉基地局に割り振られている少なくとも１つの第２のサブフレームとを決定することと
をさらに含む請求項１記載の方法。
【請求項４】
前記第２のＣＱＩを決定することは、前記少なくとも１つの干渉基地局に割り振られている少なくとも１つの第２のサブフレームのみに基づいて、前記第２のＣＱＩを決定することを含む請求項１記載の方法。
【請求項５】
前記第２のＣＱＩを決定することは、前記少なくとも１つの第２のサブフレームを含むサブフレームのセットにわたって平均をとることにより、前記第２のＣＱＩを決定することを含む請求項１記載の方法。
【請求項６】
前記サブフレームのセットは、前記基地局に半静的に割り振られているサブフレームを除く請求項５記載の方法。
【請求項７】
前記サブフレームのセットは、前記基地局に半静的に割り振られているサブフレームと、前記少なくとも１つの干渉基地局に半静的に割り振られているサブフレームとを除く請求項５記載の方法。
【請求項８】
前記サブフレームのセット中のサブフレームの数は、固定値であり、または、前記基地局により構成されて前記ＵＥにシグナリングされ、または、前記基地局および前記少なくとも１つの干渉基地局に対するリソースパーティショニングに基づいて決定される請求項５記載の方法。
【請求項９】
前記サブフレームのセットを伝える上位レイヤシグナリングを受信することをさらに含む請求項５記載の方法。
【請求項１０】
前記第２のＣＱＩを決定することは、
前記基地局に割り振られている前記少なくとも１つの第１のサブフレーム中の干渉を推定することと、
前記少なくとも１つの干渉基地局に割り振られている前記少なくとも１つの第２のサブフレーム中の干渉を推定することと、
前記少なくとも１つの第１のサブフレーム中の推定した干渉と、前記少なくとも１つの第２のサブフレーム中の推定した干渉とに基づいて、総干渉を推定することと、
前記推定した総干渉に基づいて、前記第２のＣＱＩを決定することと
を含む請求項１記載の方法。
【請求項１１】
前記第２のＣＱＩが報告されるサブフレームに関するオフセットに基づいて、前記少なくとも１つの第２のサブフレームを決定することをさらに含む請求項１記載の方法。
【請求項１２】
前記オフセットを伝えるシグナリングを前記基地局から受信することをさらに含む請求項１１記載の方法。
【請求項１３】
オフセットのセットを循環させて、異なる期間中で、前記第２のＣＱＩを決定するための異なるサブフレームを選択することにより、前記オフセットを決定することをさらに含む請求項１１記載の方法。
【請求項１４】
前記オフセットのセット、または、前記オフセットの数、あるいは、双方を伝えるシグナリングを前記基地局から受信することをさらに含む請求項１３記載の方法。
【請求項１５】
少なくとも１つの追加のサブフレームに基づいて、少なくとも１つの追加のＣＱＩを決定することをさらに含む請求項１記載の方法。
【請求項１６】
第１の周期性において、前記第１のＣＱＩを報告することと、
前記第１の周期性とは異なる第２の周期性で、前記第２のＣＱＩを報告することとをさらに含む請求項１記載の方法。
【請求項１７】
第１のＣＱＩ構成に基づいて、前記第１のＣＱＩを報告することと、
前記第１のＣＱＩ構成とは異なる第２のＣＱＩ構成に基づいて、前記第２のＣＱＩを報告することとをさらに含む請求項１記載の方法。
【請求項１８】
ワイヤレス通信のための装置において、
基地局に割り振られており、少なくとも１つの干渉する基地局からの低減された干渉または無干渉を有する少なくとも１つの第１のサブフレームに基づいて、第１のチャネル品質インジケータ（ＣＱＩ）を決定する手段と、
前記少なくとも１つの干渉基地局に割り振られている少なくとも１つの第２のサブフレームに基づいて、第２のＣＱＩを決定する手段と
を具備する装置。
【請求項１９】
前記基地局からリソースパーティショニング情報を受信する手段と、
前記リソースパーティショニング情報に基づいて、前記基地局に割り振られている少なくとも１つの第１のサブフレームと、前記少なくとも１つの干渉基地局に割り振られている少なくとも１つの第２のサブフレームとを決定する手段とをさらに具備する請求項１８記載の装置。
【請求項２０】
前記第２のＣＱＩを決定する手段は、前記少なくとも１つの第２のサブフレームを含むサブフレームのセットにわたって平均をとることにより、前記第２のＣＱＩを決定する手段を備える請求項１８記載の装置。
【請求項２１】
前記第２のＣＱＩが報告されるサブフレームに関するオフセットに基づいて、前記少なくとも１つの第２のサブフレームを決定する手段をさらに具備する請求項１８記載の装置。
【請求項２２】
第１のＣＱＩ構成に基づいて、前記第１のＣＱＩを報告する手段と、
前記第１のＣＱＩ構成とは異なる第２のＣＱＩ構成に基づいて、前記第２のＣＱＩを報告する手段とをさらに具備する請求項１８記載の装置。
【請求項２３】
ワイヤレス通信のための装置において、
基地局に割り振られており、少なくとも１つの干渉する基地局からの低減された干渉または無干渉を有する少なくとも１つの第１のサブフレームに基づいて、第１のチャネル品質インジケータ（ＣＱＩ）を決定し、前記少なくとも１つの干渉基地局に割り振られている少なくとも１つの第２のサブフレームに基づいて、第２のＣＱＩを決定するように構成されている少なくとも１つのプロセッサを具備する装置。
【請求項２４】
前記少なくとも１つのプロセッサは、前記基地局からリソースパーティショニング情報を受信し、前記リソースパーティショニング情報に基づいて、前記基地局に割り振られている少なくとも１つの第１のサブフレームと、前記少なくとも１つの干渉基地局に割り振られている少なくとも１つの第２のサブフレームとを決定するように構成されている請求項２３記載の装置。
【請求項２５】
前記少なくとも１つのプロセッサは、前記少なくとも１つの第２のサブフレームを含むサブフレームのセットにわたって平均をとることにより、前記第２のＣＱＩを決定するように構成されている請求項２３記載の装置。
【請求項２６】
前記少なくとも１つのプロセッサは、前記第２のＣＱＩが報告されるサブフレームに関するオフセットに基づいて、前記少なくとも１つの第２のサブフレームを決定するように構成されている請求項２３記載の装置。
【請求項２７】
前記少なくとも１つのプロセッサは、第１のＣＱＩ構成に基づいて、前記第１のＣＱＩを報告し、前記第１のＣＱＩ構成とは異なる第２のＣＱＩ構成に基づいて、前記第２のＣＱＩを報告するように構成されている請求項２３記載の装置。
【請求項２８】
コンピュータ読取可能記憶媒体において、
基地局に割り振られており、少なくとも１つの干渉する基地局からの低減された干渉または無干渉を有する少なくとも１つの第１のサブフレームに基づいて、第１のチャネル品質インジケータ（ＣＱＩ）を少なくとも１つのプロセッサに決定させるためのコードと、
前記少なくとも１つの干渉基地局に割り振られている少なくとも１つの第２のサブフレームに基づいて、第２のＣＱＩを前記少なくとも１つのプロセッサに決定させるためのコードと
を含むコンピュータ読取可能記憶媒体。
【請求項２９】
ワイヤレス通信のための方法において、
第１のチャネル品質インジケータ（ＣＱＩ）および第２のＣＱＩをユーザ機器（ＵＥ）から受信し、前記第１のＣＱＩは、基地局に割り振られており、少なくとも１つの干渉する基地局からの低減された干渉または無干渉を有する少なくとも１つの第１のサブフレームに基づいて決定され、前記第２のＣＱＩは、前記少なくとも１つの干渉基地局に割り振られている少なくとも１つの第２のサブフレームに基づいて決定されることと、
前記第１のＣＱＩ、または、前記第２のＣＱＩ、あるいは、双方に基づいて、データの送信を前記ＵＥに送ることと
を含む方法。
【請求項３０】
前記基地局に割り振られているサブフレームと、前記少なくとも１つの干渉基地局に割り振られているサブフレームとを伝えるリソースパーティショニング情報を送ることをさらに含む請求項２９記載の方法。
【請求項３１】
前記第２のＣＱＩは、前記少なくとも１つの干渉基地局に割り振られている前記少なくとも１つの第２のサブフレームにのみ基づいて、前記ＵＥにより決定される請求項２９記載の方法。
【請求項３２】
前記第２のＣＱＩは、前記少なくとも１つの第２のサブフレームを含むサブフレームのセットにわたって平均をとることにより、前記ＵＥにより決定され、前記サブフレームのセットは、前記基地局に半静的に割り振られているサブフレーム、または、前記少なくとも１つの干渉基地局に半静的に割り振られているサブフレーム、あるいは、双方を除く請求項２９記載の方法。
【請求項３３】
前記第２のＣＱＩは、前記基地局に割り振られている前記少なくとも１つの第１のサブフレーム中の干渉を推定することと、前記少なくとも１つの干渉基地局に割り振られている前記少なくとも１つの第２のサブフレーム中の干渉を推定することとにより、前記ＵＥにより決定される請求項２９記載の方法。
【請求項３４】
前記少なくとも１つの第２のサブフレームは、前記第２のＣＱＩが報告されるサブフレームに関するオフセットに基づいて決定される請求項２９記載の方法。
【請求項３５】
前記オフセットを伝えるシグナリングを送ることをさらに含む請求項３４記載の方法。
【請求項３６】
ワイヤレス通信のための装置において、
第１のチャネル品質インジケータ（ＣＱＩ）および第２のＣＱＩをユーザ機器（ＵＥ）から受信し、前記第１のＣＱＩは、基地局に割り振られており、少なくとも１つの干渉する基地局からの低減された干渉または無干渉を有する少なくとも１つの第１のサブフレームに基づいて決定され、前記第２のＣＱＩは、前記少なくとも１つの干渉基地局に割り振られている少なくとも１つの第２のサブフレームに基づいて決定される手段と、
前記第１のＣＱＩ、または、前記第２のＣＱＩ、あるいは、双方に基づいて、データの送信を前記ＵＥに送る手段と
を具備する装置。
【請求項３７】
前記基地局に割り振られているサブフレームと、前記少なくとも１つの干渉する基地局に割り振られているサブフレームとを伝えるリソースパーティショニング情報を送る手段をさらに具備する請求項３６記載の装置。
【請求項３８】
前記少なくとも１つの第２のサブフレームは、前記第２のＣＱＩが報告されるサブフレームに関するオフセットに基づいて決定される請求項３６記載の装置。
【請求項３９】
ワイヤレス通信のための装置において、
第１のチャネル品質インジケータ（ＣＱＩ）および第２のＣＱＩをユーザ機器（ＵＥ）から受信し、前記第１のＣＱＩ、または、前記第２のＣＱＩ、あるいは、双方に基づいて、データの送信を前記ＵＥに送るように構成されている少なくとも１つのプロセッサを具備し、
前記第１のＣＱＩは、基地局に割り振られており、少なくとも１つの干渉する基地局からの低減された干渉または無干渉を有する少なくとも１つの第１のサブフレームに基づいて決定され、前記第２のＣＱＩは、前記少なくとも１つの干渉基地局に割り振られている少なくとも１つの第２のサブフレームに基づいて決定される装置。
【請求項４０】
前記少なくとも１つのプロセッサは、前記基地局に割り振られているサブフレームと、前記少なくとも１つの干渉する基地局に割り振られているサブフレームとを伝えるリソースパーティショニング情報を送るように構成されている請求項３９記載の装置。
【請求項４１】
前記少なくとも１つの第２のサブフレームは、前記第２のＣＱＩが報告されるサブフレームに関するオフセットに基づいて決定される請求項３９記載の装置。
【請求項４２】
コンピュータ読取可能記憶媒体において、
第１のチャネル品質インジケータ（ＣＱＩ）および第２のＣＱＩをユーザ機器（ＵＥ）から少なくとも１つのプロセッサに受信させるためのコードと、
前記第１のＣＱＩ、または、前記第２のＣＱＩ、あるいは、双方に基づいて、データの送信を前記ＵＥに前記少なくとも１つのプロセッサに送らせるためのコードとを含み、
前記第１のＣＱＩは、基地局に割り振られており、少なくとも１つの干渉する基地局からの低減された干渉または無干渉を有する少なくとも１つの第１のサブフレームに基づいて決定され、前記第２のＣＱＩは、前記少なくとも１つの干渉基地局に割り振られている少なくとも１つの第２のサブフレームに基づいて決定されるコンピュータ読取可能記憶媒体。
【請求項４３】
ワイヤレス通信のための方法において、
異なるレベルの干渉に関係付けられている複数のサブフレームタイプに対する複数のセットポイントを維持することと、
データをユーザ機器（ＵＥ）に送信するためのサブフレームに基づいて、前記複数のセットポイントの中からセットポイントを選択することと、
前記選択したセットポイントに基づいて、前記サブフレーム中でデータを前記ＵＥに送信することと
を含む方法。
【請求項４４】
前記サブフレームに適用可能なチャネル品質インジケータ（ＣＱＩ）を前記ＵＥから受信することと、
前記選択したセットポイントと前記ＣＱＩとに基づいて、送信電力レベルを決定することと、
前記決定した送信電力レベルに基づいて、データを前記ＵＥに送信することと
をさらに含む請求項４３記載の方法。
【請求項４５】
前記サブフレームに適用可能なチャネル品質インジケータ（ＣＱＩ）を前記ＵＥから受信することと、
前記選択したセットポイントと前記ＣＱＩとに基づいて、データを前記ＵＥに送信するために使用するリソースの量を決定することと、
前記決定したリソースの量に基づいて、データを前記ＵＥに送信することと
をさらに含む請求項４３記載の方法。
【請求項４６】
前記複数のセットポイントを維持することは、各サブフレームタイプのサブフレームに対して推定される干渉、または、性能のターゲットレベル、あるいは、双方に基づいて、前記各サブフレームタイプに対するセットポイントを決定することを含む請求項４３記載の方法。
【請求項４７】
前記性能のターゲットレベルは、特定のターゲットエラーレート、または、特定のハイブリッド自動再送要求（ＨＡＲＱ）ターゲット終了、あるいは、双方により、与えられる請求項４６記載の方法。
【請求項４８】
前記複数のセットポイントを維持することは、前記ＵＥに対して、前記複数のサブフレームタイプに対する前記複数のセットポイントを維持することを含み、セットポイントの複数のセットが、複数のＵＥに対して維持され、各ＵＥに対して、セットポイントの１つのセットが維持される請求項４３記載の方法。
【請求項４９】
前記複数のセットポイントを維持することは、特定の物理チャネルに対して、前記複数のサブフレームタイプに対する前記複数のセットポイントを維持することを含み、セットポイントの複数のセットが、複数の物理チャネルに対して維持され、各物理チャネルに対して、セットポイントの１つのセットが維持される請求項４３記載の方法。
【請求項５０】
前記データを前記ＵＥに送信することは、物理ダウンリンク制御チャネル（ＰＤＣＣＨ）、または、物理ＨＡＲＱインジケータチャネル（ＰＨＩＣＨ）、または、物理ダウンリンク共有チャネル（ＰＤＳＣＨ）上で、データを前記ＵＥに送信することを含む請求項４３記載の方法。
【請求項５１】
ワイヤレス通信のための装置において、
異なるレベルの干渉に関係付けられている複数のサブフレームタイプに対する複数のセットポイントを維持する手段と、
データをユーザ機器（ＵＥ）に送信するためのサブフレームに基づいて、前記複数のセットポイントの中からセットポイントを選択する手段と、
前記選択したセットポイントに基づいて、前記サブフレーム中でデータを前記ＵＥに送信する手段と
を具備する装置。
【請求項５２】
前記サブフレームに適用可能なチャネル品質インジケータ（ＣＱＩ）を前記ＵＥから受信する手段と、
前記選択したセットポイントと前記ＣＱＩとに基づいて、送信電力レベルを決定する手段と、
前記決定した送信電力レベルに基づいて、データを前記ＵＥに送信する手段と
をさらに具備する請求項５１記載の装置。
【請求項５３】
前記複数のセットポイントを維持する手段は、各サブフレームタイプのサブフレームに対して推定される干渉、または、性能のターゲットレベル、あるいは、双方に基づいて、前記各サブフレームタイプに対するセットポイントを決定する手段を備える請求項５１記載の装置。
【請求項５４】
前記複数のセットポイントを維持する手段は、前記ＵＥに対して、前記複数のサブフレームタイプに対する前記複数のセットポイントを維持する手段を備え、セットポイントの複数のセットが、複数のＵＥに対して維持され、各ＵＥに対して、セットポイントの１つのセットが維持される請求項５１記載の装置。
【請求項５５】
ワイヤレス通信のための装置において、
異なるレベルの干渉に関係付けられている複数のサブフレームタイプに対する複数のセットポイントを維持し、データをユーザ機器（ＵＥ）に送信ためのサブフレームに基づいて、前記複数のセットポイントの中からセットポイントを選択し、前記選択したセットポイントに基づいて、前記サブフレーム中でデータを前記ＵＥに送信するように構成されている少なくとも１つのプロセッサを具備する装置。
【請求項５６】
前記少なくとも１つのプロセッサは、前記サブフレームに適用可能なチャネル品質インジケータ（ＣＱＩ）を前記ＵＥから受信し、前記選択したセットポイントと前記ＣＱＩとに基づいて、送信電力レベルを決定し、前記決定した送信電力レベルに基づいて、データを前記ＵＥに送信するように構成されている請求項５５記載の装置。
【請求項５７】
前記少なくとも１つのプロセッサは、各サブフレームタイプのサブフレームに対して推定される干渉、または、性能のターゲットレベル、あるいは、双方に基づいて、前記各サブフレームタイプに対するセットポイントを決定するように構成されている請求項５５記載の装置。
【請求項５８】
前記少なくとも１つのプロセッサは、前記ＵＥに対して、前記複数のサブフレームタイプに対する前記複数のセットポイントを維持し、複数のＵＥに対して、セットポイントの複数のセットを維持し、各ＵＥに対して、セットポイントの１つのセットを維持するように構成されている請求項５５記載の装置。
【請求項５９】
コンピュータ読取可能記憶媒体において、
異なるレベルの干渉に関係付けられている複数のサブフレームタイプに対する複数のセットポイントを少なくとも１つのプロセッサに維持させるためのコードと、
データをユーザ機器（ＵＥ）に送信するためのサブフレームに基づいて、前記複数のセットポイントの中からセットポイントを前記少なくとも１つのプロセッサに選択させるためのコードと、
前記選択したセットポイントに基づいて、前記サブフレーム中でデータを前記ＵＥに前記少なくとも１つのプロセッサに送信させるためのコードと
を含むコンピュータ読取可能記憶媒体。
【外国語明細書】
2014212543000001.pdf